(57)【要約】【課題】仮にＬＥＤ光源の発光面に輝度や色のムラが存在する場合にそのムラがレンズによって投影されて目立ってしまうおそれを低減する。【解決手段】レンズ3の中心軸線3'上にＬＥＤ光源1を配置し、ＬＥＤ光源1の発光面1-1の一部をレンズ3によって投影するＬＥＤ照明装置100において、レンズ3の中心軸線3'上の反射面3dの外径を、例えば入射面3aの外径と等しくした。ＬＥＤ光源1の発光面1-1の中心点1-1a1から照射されて入射面3aを透過した光のすべてが反射面3dによって反射される。ＬＥＤ光源1の発光面1-1の中心点1-1a1以外の部分から照射されて入射面3aを透過した光の大部分も反射面3dによって反射される。ＬＥＤ光源1の発光面1-1の中心点1-1a1以外の部分から照射されて入射面3aを透過し、反射面3dを介することなく、出射面3fを透過する光が僅かしか存在しない。【選択図】図１
2012190677.tif 000002
【特許請求の範囲】
【請求項１】
レンズ（３）の中心軸線（３’）上にＬＥＤ光源（１）を配置し、
ＬＥＤ光源（１）の発光面（１−１）の少なくとも一部をレンズ（３）によって投影するＬＥＤ照明装置（１００）において、
ＬＥＤ光源（１）から照射された光の一部が透過する第１入射面（３ａ）をレンズ（３）の中心軸線（３’）上に形成し、
レンズ（３）の中心軸線（３’）を中心に曲線（ａｂ）を３６０°回転させることにより得られる凸状の曲面によって第１入射面（３ａ）を構成し、
ＬＥＤ光源（１）から照射された光の他の一部が透過する第２入射面（３ｂ１）を、第１入射面（３ａ）よりもレンズ（３）の中心軸線（３’）から離れた位置に形成し、
レンズ（３）の中心軸線（３’）を中心に直線（ｂｃ）または曲線を３６０°回転させることにより得られる曲面によって第２入射面（３ｂ１）を構成し、
第２入射面（３ｂ１）を透過した光を反射する第１反射面（３ｃ１）を、第２入射面（３ｂ１）よりもレンズ（３）の中心軸線（３’）から離れた位置に形成し、
レンズ（３）の中心軸線（３’）を中心に曲線（ｃｄ）または直線を３６０°回転させることにより得られる曲面によって第１反射面（３ｃ１）を構成し、
第１入射面（３ａ）を透過した光の一部を反射する第２反射面（３ｄ）をレンズ（３）の中心軸線（３’）上に形成し、
レンズ（３）の中心軸線（３’）と４５°の角度をなす直線（ｈｉ）をレンズ（３）の中心軸線（３’）を中心に３６０°回転させることにより得られる凹状の円錐面によって第２反射面（３ｄ）を構成し、
第２反射面（３ｄ）によって反射された光を反射する第３反射面（３ｅ）を、第１反射面（３ｃ１）および第２反射面（３ｄ）よりもレンズ（３）の中心軸線（３’）から離れた位置に形成し、
レンズ（３）の中心軸線（３’）と角度をなす直線（ｆｇ）をレンズ（３）の中心軸線（３’）を中心に３６０°回転させることにより得られる曲面によって第３反射面（３ｅ）を構成し、
第１入射面（３ａ）を透過した光の一部、第１反射面（３ｃ１）によって反射された光、および、第３反射面（３ｅ）によって反射された光が透過する出射面（３ｆ）を、第２反射面（３ｄ）よりもレンズ（３）の中心軸線（３’）から離れた位置に形成し、
レンズ（３）の中心軸線（３’）に垂直な直線（ｊｋ）をレンズ（３）の中心軸線（３’）を中心に３６０°回転させることにより得られる平面によって出射面（３ｆ）を構成し、
ＬＥＤ光源（１）の発光面（１−１）の中央部（１−１ａ）のうち、レンズ（３）の中心軸線（３’）上に位置する中心点（１−１ａ１）からレンズ（３）の中心軸線（３’）と第１の角度をなして照射された光が、第１入射面（３ａ）を透過してレンズ（３）の中心軸線（３’）に平行に進む光になり、次いで、第２反射面（３ｄ）によって反射されてレンズ（３）の中心軸線（３’）に垂直に進む光になり、次いで、第３反射面（３ｅ）によって反射され、次いで、出射面（３ｆ）を透過してＬＥＤ照明装置（１００）の照射方向に照射され、
ＬＥＤ光源（１）の発光面（１−１）の中央部（１−１ａ）のうち、レンズ（３）の中心軸線（３’）上に位置する中心点（１−１ａ１）からレンズ（３）の中心軸線（３’）と第１の角度より大きい第２の角度をなして照射された光が、第２入射面（３ｂ１）を透過し、次いで、第１反射面（３ｃ１）によって反射されてレンズ（３）の中心軸線（３’）に平行に進む光になり、次いで、出射面（３ｆ）を透過してレンズ（３）の中心軸線（３’）に平行に進む光になり、ＬＥＤ照明装置（１００）の照射方向に照射され、
ＬＥＤ光源（１）の発光面（１−１）の周辺部（１−１ｂ）からレンズ（３）の中心軸線（３’）と第３の角度をなして照射された光が、第１入射面（３ａ）を透過し、次いで、第２反射面（３ｄ）によって反射され、次いで、第３反射面（３ｅ）によって反射され、次いで、出射面（３ｆ）を透過してＬＥＤ照明装置（１００）の照射方向に照射され、
ＬＥＤ光源（１）の発光面（１−１）の周辺部（１−１ｂ）からレンズ（３）の中心軸線（３’）と第３の角度より大きい第４の角度をなして照射された光が、第１入射面（３ａ）を透過し、次いで、出射面（３ｆ）を透過してＬＥＤ照明装置（１００）の照射方向に照射され、その結果、ＬＥＤ光源（１）の発光面（１−１）の周辺部（１−１ｂ）がレンズ（３）によって投影され、
ＬＥＤ光源（１）の発光面（１−１）の周辺部（１−１ｂ）からレンズ（３）の中心軸線（３’）と第４の角度より大きい第５の角度をなして照射された光が、第２入射面（３ｂ１）を透過し、次いで、第１反射面（３ｃ１）によって反射され、次いで、出射面（３ｆ）を透過してＬＥＤ照明装置（１００）の照射方向に照射され、
レンズ（３）の第２反射面（３ｄ）の外径を、レンズ（３）の第２入射面（３ｂ１）の内径以上の値であってレンズ（３）の第２入射面（３ｂ１）の外径以下の値に設定したことを特徴とするＬＥＤ照明装置（１００）。
【請求項２】
レンズ（３）の中心軸線（３’）と４５°の角度をなす直線（ｆｇ）をレンズ（３）の中心軸線（３’）を中心に３６０°回転させることにより得られる曲面によって第３反射面（３ｅ）を構成し、
ＬＥＤ光源（１）の発光面（１−１）の中心点（１−１ａ１）からレンズ（３）の中心軸線（３’）と第１の角度をなして照射された光が、第１入射面（３ａ）を透過してレンズ（３）の中心軸線（３’）に平行に進む光になり、次いで、第２反射面（３ｄ）によって反射されてレンズ（３）の中心軸線（３’）に垂直に進む光になり、次いで、第３反射面（３ｅ）によって反射されてレンズ（３）の中心軸線（３’）に平行に進む光になり、次いで、出射面（３ｆ）を透過してレンズ（３）の中心軸線（３’）に平行に進む光になり、ＬＥＤ照明装置（１００）の照射方向に照射されることを特徴とする請求項１に記載のＬＥＤ照明装置（１００）。
【発明の詳細な説明】
【技術分野】
【０００１】
本発明は、ＬＥＤ光源がレンズの中心軸線上に配置され、ＬＥＤ光源の発光面の少なくとも一部がレンズによって投影されるＬＥＤ照明装置に関する。
【０００２】
特に、本発明は、仮にＬＥＤ光源の発光面に輝度や色のムラが存在する場合にそのムラがレンズによって投影されて目立ってしまうおそれを低減することができるＬＥＤ照明装置に関する。
【背景技術】
【０００３】
従来から、ＬＥＤ光源（前照灯光源用ＬＥＤランプ）が投影レンズの中心軸線上に配置され、ＬＥＤ光源（前照灯光源用ＬＥＤランプ）の発光面の一部が投影レンズによって投影されるＬＥＤ照明装置が知られている。この種のＬＥＤ照明装置の例としては、例えば特許文献１（特開２００５−５１９３号公報）の図１、図２、図４、段落００１６、段落００２２などに記載されたものがある。
【０００４】
特許文献１の図１、図２、図４、段落００１６、段落００２２などに記載されたＬＥＤ照明装置では、ＬＥＤ光源（前照灯光源用ＬＥＤランプ）の発光面から照射され、遮蔽部材によって遮られることなく投影レンズの入射面を透過した光の略すべてが、投影レンズの出射面を透過する。そのため、特許文献１の図１、図２、図４、段落００１６、段落００２２などに記載されたＬＥＤ照明装置では、投影レンズの入射面および出射面を透過した強い光によって、ＬＥＤ光源（前照灯光源用ＬＥＤランプ）の発光面が投影され、ＬＥＤ光源（前照灯光源用ＬＥＤランプ）の発光面のうち、遮蔽部材によって覆われていない部分に対応する配光パターンが形成される。
【先行技術文献】
【特許文献】
【０００５】
【特許文献１】特開２００５−５１９３号公報
【特許文献２】特開２００６−１６５４１０号公報
【発明の概要】
【発明が解決しようとする課題】
【０００６】
ところで、特許文献１の図１、図２、図４、段落００１６、段落００２２などに記載されたＬＥＤ照明装置では、仮にＬＥＤ光源（前照灯光源用ＬＥＤランプ）の発光面に輝度や色のムラが存在する場合に、そのムラも投影レンズによって投影される。そのため、特許文献１の図１、図２、図４、段落００１６、段落００２２などに記載されたＬＥＤ照明装置では、投影レンズによって投影された輝度や色のムラが目立ってしまうおそれがある。
【０００７】
前記問題点に鑑み、本発明は、仮にＬＥＤ光源の発光面に輝度や色のムラが存在する場合にそのムラがレンズによって投影されて目立ってしまうおそれを低減することができるＬＥＤ照明装置を提供することを目的とする。
【課題を解決するための手段】
【０００８】
請求項１に記載の発明によれば、レンズ（３）の中心軸線（３’）上にＬＥＤ光源（１）を配置し、
ＬＥＤ光源（１）の発光面（１−１）の少なくとも一部をレンズ（３）によって投影するＬＥＤ照明装置（１００）において、
ＬＥＤ光源（１）から照射された光の一部が透過する第１入射面（３ａ）をレンズ（３）の中心軸線（３’）上に形成し、
レンズ（３）の中心軸線（３’）を中心に曲線（ａｂ）を３６０°回転させることにより得られる凸状の曲面によって第１入射面（３ａ）を構成し、
ＬＥＤ光源（１）から照射された光の他の一部が透過する第２入射面（３ｂ１）を、第１入射面（３ａ）よりもレンズ（３）の中心軸線（３’）から離れた位置に形成し、
レンズ（３）の中心軸線（３’）を中心に直線（ｂｃ）または曲線を３６０°回転させることにより得られる曲面によって第２入射面（３ｂ１）を構成し、
第２入射面（３ｂ１）を透過した光を反射する第１反射面（３ｃ１）を、第２入射面（３ｂ１）よりもレンズ（３）の中心軸線（３’）から離れた位置に形成し、
レンズ（３）の中心軸線（３’）を中心に曲線（ｃｄ）または直線を３６０°回転させることにより得られる曲面によって第１反射面（３ｃ１）を構成し、
第１入射面（３ａ）を透過した光の一部を反射する第２反射面（３ｄ）をレンズ（３）の中心軸線（３’）上に形成し、
レンズ（３）の中心軸線（３’）と４５°の角度をなす直線（ｈｉ）をレンズ（３）の中心軸線（３’）を中心に３６０°回転させることにより得られる凹状の円錐面によって第２反射面（３ｄ）を構成し、
第２反射面（３ｄ）によって反射された光を反射する第３反射面（３ｅ）を、第１反射面（３ｃ１）および第２反射面（３ｄ）よりもレンズ（３）の中心軸線（３’）から離れた位置に形成し、
レンズ（３）の中心軸線（３’）と角度をなす直線（ｆｇ）をレンズ（３）の中心軸線（３’）を中心に３６０°回転させることにより得られる曲面によって第３反射面（３ｅ）を構成し、
第１入射面（３ａ）を透過した光の一部、第１反射面（３ｃ１）によって反射された光、および、第３反射面（３ｅ）によって反射された光が透過する出射面（３ｆ）を、第２反射面（３ｄ）よりもレンズ（３）の中心軸線（３’）から離れた位置に形成し、
レンズ（３）の中心軸線（３’）に垂直な直線（ｊｋ）をレンズ（３）の中心軸線（３’）を中心に３６０°回転させることにより得られる平面によって出射面（３ｆ）を構成し、
ＬＥＤ光源（１）の発光面（１−１）の中央部（１−１ａ）のうち、レンズ（３）の中心軸線（３’）上に位置する中心点（１−１ａ１）からレンズ（３）の中心軸線（３’）と第１の角度をなして照射された光が、第１入射面（３ａ）を透過してレンズ（３）の中心軸線（３’）に平行に進む光になり、次いで、第２反射面（３ｄ）によって反射されてレンズ（３）の中心軸線（３’）に垂直に進む光になり、次いで、第３反射面（３ｅ）によって反射され、次いで、出射面（３ｆ）を透過してＬＥＤ照明装置（１００）の照射方向に照射され、
ＬＥＤ光源（１）の発光面（１−１）の中央部（１−１ａ）のうち、レンズ（３）の中心軸線（３’）上に位置する中心点（１−１ａ１）からレンズ（３）の中心軸線（３’）と第１の角度より大きい第２の角度をなして照射された光が、第２入射面（３ｂ１）を透過し、次いで、第１反射面（３ｃ１）によって反射されてレンズ（３）の中心軸線（３’）に平行に進む光になり、次いで、出射面（３ｆ）を透過してレンズ（３）の中心軸線（３’）に平行に進む光になり、ＬＥＤ照明装置（１００）の照射方向に照射され、
ＬＥＤ光源（１）の発光面（１−１）の周辺部（１−１ｂ）からレンズ（３）の中心軸線（３’）と第３の角度をなして照射された光が、第１入射面（３ａ）を透過し、次いで、第２反射面（３ｄ）によって反射され、次いで、第３反射面（３ｅ）によって反射され、次いで、出射面（３ｆ）を透過してＬＥＤ照明装置（１００）の照射方向に照射され、
ＬＥＤ光源（１）の発光面（１−１）の周辺部（１−１ｂ）からレンズ（３）の中心軸線（３’）と第３の角度より大きい第４の角度をなして照射された光が、第１入射面（３ａ）を透過し、次いで、出射面（３ｆ）を透過してＬＥＤ照明装置（１００）の照射方向に照射され、その結果、ＬＥＤ光源（１）の発光面（１−１）の周辺部（１−１ｂ）がレンズ（３）によって投影され、
ＬＥＤ光源（１）の発光面（１−１）の周辺部（１−１ｂ）からレンズ（３）の中心軸線（３’）と第４の角度より大きい第５の角度をなして照射された光が、第２入射面（３ｂ１）を透過し、次いで、第１反射面（３ｃ１）によって反射され、次いで、出射面（３ｆ）を透過してＬＥＤ照明装置（１００）の照射方向に照射され、
レンズ（３）の第２反射面（３ｄ）の外径を、レンズ（３）の第２入射面（３ｂ１）の内径以上の値であってレンズ（３）の第２入射面（３ｂ１）の外径以下の値に設定したことを特徴とするＬＥＤ照明装置（１００）が提供される。
【０００９】
請求項２に記載の発明によれば、レンズ（３）の中心軸線（３’）と４５°の角度をなす直線（ｆｇ）をレンズ（３）の中心軸線（３’）を中心に３６０°回転させることにより得られる曲面によって第３反射面（３ｅ）を構成し、
ＬＥＤ光源（１）の発光面（１−１）の中心点（１−１ａ１）からレンズ（３）の中心軸線（３’）と第１の角度をなして照射された光が、第１入射面（３ａ）を透過してレンズ（３）の中心軸線（３’）に平行に進む光になり、次いで、第２反射面（３ｄ）によって反射されてレンズ（３）の中心軸線（３’）に垂直に進む光になり、次いで、第３反射面（３ｅ）によって反射されてレンズ（３）の中心軸線（３’）に平行に進む光になり、次いで、出射面（３ｆ）を透過してレンズ（３）の中心軸線（３’）に平行に進む光になり、ＬＥＤ照明装置（１００）の照射方向に照射されることを特徴とする請求項１に記載のＬＥＤ照明装置（１００）が提供される。
【発明の効果】
【００１０】
請求項１に記載のＬＥＤ照明装置（１００）では、ＬＥＤ光源（１）がレンズ（３）の中心軸線（３’）上に配置されている。また、ＬＥＤ光源（１）の発光面（１−１）の少なくとも一部がレンズ（３）によって投影される。
【００１１】
詳細には、請求項１に記載のＬＥＤ照明装置（１００）では、ＬＥＤ光源（１）から照射された光の一部が透過する第１入射面（３ａ）が、レンズ（３）の中心軸線（３’）上に形成されている。更に、レンズ（３）の中心軸線（３’）を中心に曲線（ａｂ）を３６０°回転させることにより得られる凸状の曲面によって第１入射面（３ａ）が構成されている。
【００１２】
また、請求項１に記載のＬＥＤ照明装置（１００）では、ＬＥＤ光源（１）から照射された光の他の一部が透過する第２入射面（３ｂ１）が、第１入射面（３ａ）よりもレンズ（３）の中心軸線（３’）から離れた位置に形成されている。更に、レンズ（３）の中心軸線（３’）を中心に直線（ｂｃ）または曲線を３６０°回転させることにより得られる曲面によって第２入射面（３ｂ１）が構成されている。
【００１３】
更に、請求項１に記載のＬＥＤ照明装置（１００）では、第２入射面（３ｂ１）を透過した光を反射する第１反射面（３ｃ１）が、第２入射面（３ｂ１）よりもレンズ（３）の中心軸線（３’）から離れた位置に形成されている。また、レンズ（３）の中心軸線（３’）を中心に曲線（ｃｄ）または直線を３６０°回転させることにより得られる曲面によって第１反射面（３ｃ１）が構成されている。
【００１４】
また、請求項１に記載のＬＥＤ照明装置（１００）では、第１入射面（３ａ）を透過した光の一部を反射する第２反射面（３ｄ）がレンズ（３）の中心軸線（３’）上に形成されている。更に、レンズ（３）の中心軸線（３’）と４５°の角度をなす直線（ｈｉ）をレンズ（３）の中心軸線（３’）を中心に３６０°回転させることにより得られる凹状の円錐面によって第２反射面（３ｄ）が構成されている。
【００１５】
更に、請求項１に記載のＬＥＤ照明装置（１００）では、第２反射面（３ｄ）によって反射された光を反射する第３反射面（３ｅ）が、第１反射面（３ｃ１）および第２反射面（３ｄ）よりもレンズ（３）の中心軸線（３’）から離れた位置に形成されている。また、レンズ（３）の中心軸線（３’）と角度をなす直線（ｆｇ）をレンズ（３）の中心軸線（３’）を中心に３６０°回転させることにより得られる曲面によって第３反射面（３ｅ）が構成されている。
【００１６】
また、請求項１に記載のＬＥＤ照明装置（１００）では、第１入射面（３ａ）を透過した光の一部、第１反射面（３ｃ１）によって反射された光、および、第３反射面（３ｅ）によって反射された光が透過する出射面（３ｆ）が、第２反射面（３ｄ）よりもレンズ（３）の中心軸線（３’）から離れた位置に形成されている。更に、レンズ（３）の中心軸線（３’）に垂直な直線（ｊｋ）をレンズ（３）の中心軸線（３’）を中心に３６０°回転させることにより得られる平面によって出射面（３ｆ）が構成されている。
【００１７】
詳細には、請求項１に記載のＬＥＤ照明装置（１００）では、ＬＥＤ光源（１）の発光面（１−１）の中央部（１−１ａ）のうち、レンズ（３）の中心軸線（３’）上に位置する中心点（１−１ａ１）からレンズ（３）の中心軸線（３’）と第１の角度をなして照射された光が、第１入射面（３ａ）を透過してレンズ（３）の中心軸線（３’）に平行に進む光になり、次いで、第２反射面（３ｄ）によって反射されてレンズ（３）の中心軸線（３’）に垂直に進む光になり、次いで、第３反射面（３ｅ）によって反射され、次いで、出射面（３ｆ）を透過してＬＥＤ照明装置（１００）の照射方向に照射される。
【００１８】
更に、請求項１に記載のＬＥＤ照明装置（１００）では、ＬＥＤ光源（１）の発光面（１−１）の中央部（１−１ａ）のうち、レンズ（３）の中心軸線（３’）上に位置する中心点（１−１ａ１）からレンズ（３）の中心軸線（３’）と第１の角度より大きい第２の角度をなして照射された光が、第２入射面（３ｂ１）を透過し、次いで、第１反射面（３ｃ１）によって反射されてレンズ（３）の中心軸線（３’）に平行に進む光になり、次いで、出射面（３ｆ）を透過してレンズ（３）の中心軸線（３’）に平行に進む光になり、ＬＥＤ照明装置（１００）の照射方向に照射される。
【００１９】
また、請求項１に記載のＬＥＤ照明装置（１００）では、ＬＥＤ光源（１）の発光面（１−１）の周辺部（１−１ｂ）からレンズ（３）の中心軸線（３’）と第３の角度をなして照射された光が、第１入射面（３ａ）を透過し、次いで、第２反射面（３ｄ）によって反射され、次いで、第３反射面（３ｅ）によって反射され、次いで、出射面（３ｆ）を透過してＬＥＤ照明装置（１００）の照射方向に照射される。
【００２０】
更に、請求項１に記載のＬＥＤ照明装置（１００）では、ＬＥＤ光源（１）の発光面（１−１）の周辺部（１−１ｂ）からレンズ（３）の中心軸線（３’）と第３の角度より大きい第４の角度をなして照射された光が、第１入射面（３ａ）を透過し、次いで、出射面（３ｆ）を透過してＬＥＤ照明装置（１００）の照射方向に照射され、その結果、ＬＥＤ光源（１）の発光面（１−１）の周辺部（１−１ｂ）がレンズ（３）によって投影される。
【００２１】
また、請求項１に記載のＬＥＤ照明装置（１００）では、ＬＥＤ光源（１）の発光面（１−１）の周辺部（１−１ｂ）からレンズ（３）の中心軸線（３’）と第４の角度より大きい第５の角度をなして照射された光が、第２入射面（３ｂ１）を透過し、次いで、第１反射面（３ｃ１）によって反射され、次いで、出射面（３ｆ）を透過してＬＥＤ照明装置（１００）の照射方向に照射される。
【００２２】
詳細には、請求項１に記載のＬＥＤ照明装置（１００）では、レンズ（３）の第２反射面（３ｄ）の外径が、レンズ（３）の第２入射面（３ｂ１）の内径以上の値であってレンズ（３）の第２入射面（３ｂ１）の外径以下の値に設定されている。そのため、請求項１に記載のＬＥＤ照明装置（１００）では、ＬＥＤ光源（１）の発光面（１−１）の中心点（１−１ａ１）から照射されて第１入射面（３ａ）を透過した光のすべてが第２反射面（３ｄ）によって反射される。つまり、請求項１に記載のＬＥＤ照明装置（１００）では、ＬＥＤ光源（１）の発光面（１−１）の中心点（１−１ａ１）から照射されて第１入射面（３ａ）を透過し、第２反射面（３ｄ）を介することなく、出射面（３ｆ）を透過する光が全く存在しない。その結果、請求項１に記載のＬＥＤ照明装置（１００）では、ＬＥＤ光源（１）の発光面（１−１）の中心点（１−１ａ１）がレンズ（３）によって全く投影されない。
【００２３】
更に詳細には、請求項１に記載のＬＥＤ照明装置（１００）では、ＬＥＤ光源（１）の発光面（１−１）の中心点（１−１ａ１）以外の部分から照射されて第１入射面（３ａ）を透過した光の大部分も、第２反射面（３ｄ）によって反射される。つまり、請求項１に記載のＬＥＤ照明装置（１００）では、ＬＥＤ光源（１）の発光面（１−１）の中心点（１−１ａ１）以外の部分から照射されて第１入射面（３ａ）を透過し、第２反射面（３ｄ）を介することなく、出射面（３ｆ）を透過する光が、僅かしか存在しない。その結果、請求項１に記載のＬＥＤ照明装置（１００）では、ＬＥＤ光源（１）の発光面（１−１）の中心点（１−１ａ１）以外の部分が、その僅かな光によって投影される。
【００２４】
そのため、請求項１に記載のＬＥＤ照明装置（１００）によれば、ＬＥＤ光源（１）の発光面（１−１）から照射されて第１入射面（３ａ）を透過した光の略すべてがレンズ（３ｒｅｆ）によるＬＥＤ光源（１）の発光面（１−１）の投影に利用されるＬＥＤ照明装置（１００ｒｅｆ）よりも、仮にＬＥＤ光源（１）の発光面（１−１）に輝度や色のムラ（ｕｅ）が存在する場合にその輝度や色のムラ（ｕｅ）がレンズ（３）によってＬＥＤ照明装置（１００）の照射方向に投影されて目立ってしまうおそれを低減することができる。
【００２５】
請求項２に記載のＬＥＤ照明装置（１００）では、レンズ（３）の中心軸線（３’）と４５°の角度をなす直線（ｆｇ）をレンズ（３）の中心軸線（３’）を中心に３６０°回転させることにより得られる曲面によって第３反射面（３ｅ）が構成されている。
【００２６】
詳細には、請求項２に記載のＬＥＤ照明装置（１００）では、ＬＥＤ光源（１）の発光面（１−１）の中心点（１−１ａ１）からレンズ（３）の中心軸線（３’）と第１の角度をなして照射された光が、第１入射面（３ａ）を透過してレンズ（３）の中心軸線（３’）に平行に進む光になり、次いで、第２反射面（３ｄ）によって反射されてレンズ（３）の中心軸線（３’）に垂直に進む光になり、次いで、第３反射面（３ｅ）によって反射されてレンズ（３）の中心軸線（３’）に平行に進む光になり、次いで、出射面（３ｆ）を透過してレンズ（３）の中心軸線（３’）に平行に進む光になり、ＬＥＤ照明装置（１００）の照射方向に照射される。
【００２７】
そのため、請求項２に記載のＬＥＤ照明装置（１００）によれば、ＬＥＤ光源（１）の発光面（１−１）の中心点（１−１ａ１）からレンズ（３）の中心軸線（３’）と第１の角度をなして照射された光が出射面（３ｆ）を透過してレンズ（３）の中心軸線（３’）に平行に進む光にならない場合よりも、レンズ（３）からＬＥＤ照明装置（１００）の照射方向に照射される光によって形成される配光パターンのレンズ（３）の中心軸線（３’）上の照度を向上させることができる。
【図面の簡単な説明】
【００２８】
【図１】第１の実施形態のＬＥＤ照明装置１００を示した図である。
【図２】第１の実施形態のＬＥＤ照明装置１００の一部を構成するＬＥＤ光源１などを示した図である。
【図３】第１の実施形態のＬＥＤ照明装置１００の一部を構成するレンズ３を示した図である。
【図４】第１の実施形態のＬＥＤ照明装置１００の一部を構成するレンズ３を示した図である。
【図５】図１（Ｃ）に示す断面内におけるＬＥＤ光源１からの光の光路を示した図である。
【図６】図１（Ｃ）に示す断面に垂直な断面であって、レンズ３の中心軸線３’を含む断面内におけるＬＥＤ光源１からの光の光路を示した図である。
【図７】第１の実施形態のＬＥＤ照明装置１００とスクリーンＳＣとの関係を概略的に示した斜視図である。
【図８】ＬＥＤ光源１の発光面１−１から照射され、レンズ３の入射面３ａを透過し、反射面３ｄ，３ｅを介することなく出射面３ｆを透過する光によってスクリーンＳＣに形成される配光パターンＰ１ｂ１，Ｐ１ｂ２，Ｐ１ｂ３，Ｐ１ｂ４を、図７の右側からスクリーンＳＣを透視して見た図である。
【図９】ＬＥＤ光源１の発光面１−１から照射され、レンズ３の入射面３ａを透過し、反射面３ｄ，３ｅによって反射され、出射面３ｆを透過する光によってスクリーンＳＣに形成される配光パターンＰｅを、図７の右側からスクリーンＳＣを透視して見た図である。
【図１０】ＬＥＤ光源１の発光面１−１から照射され、レンズ３の入射面３ｂ１，３ｂ２を透過し、反射面３ｃ１，３ｃ２によって反射され、出射面３ｆを透過する光によってスクリーンＳＣに形成される配光パターンＰｃを、図７の右側からスクリーンＳＣを透視して見た図である。
【図１１】第１の実施形態のＬＥＤ照明装置１００から照射される光によってスクリーンＳＣに形成される配光パターンＰを、図７の右側からスクリーンＳＣを透視して見た図である。
【図１２】比較例のＬＥＤ照明装置１００ｒｅｆの一部を構成するレンズ３ｒｅｆを示した図である。
【図１３】図１２に示す断面内における比較例のＬＥＤ照明装置１００ｒｅｆのＬＥＤ光源１からの光の光路を示した図である。
【図１４】図１３に示す断面に垂直な断面であって、比較例のＬＥＤ照明装置１００ｒｅｆのレンズ３ｒｅｆの中心軸線３’を含む断面内における比較例のＬＥＤ照明装置１００ｒｅｆのＬＥＤ光源１からの光の光路を示した図である。
【図１５】比較例のＬＥＤ照明装置１００ｒｅｆのＬＥＤ光源１の発光面１−１から照射され、レンズ３ｒｅｆの入射面３ａを透過し、出射面３ｆを透過する光によってスクリーンＳＣに形成される配光パターンＰａを、図１７（Ｂ）の右側からスクリーンＳＣを透視して見た図である。
【図１６】比較例のＬＥＤ照明装置１００ｒｅｆから照射される光によってスクリーンＳＣに形成される配光パターンＰｒｅｆを、図１７（Ｂ）の右側からスクリーンＳＣを透視して見た図である。
【図１７】比較例のＬＥＤ照明装置１００ｒｅｆと比較した第１の実施形態のＬＥＤ照明装置１００の有利な効果を説明するための図である。
【図１８】第４の実施形態のＬＥＤ照明装置１００の一部を構成するＬＥＤ光源１などを示した図である。
【図１９】第６の実施形態のＬＥＤ照明装置１００のレンズ３の一部の図４と同様の拡大断面図である。
【図２０】第８の実施形態のＬＥＤ照明装置１００のレンズ３の一部の図５（Ａ）と同様の断面図などである。
【図２１】第１の実施形態のＬＥＤ照明装置１００が適用された投光器２００を示した図である。
【発明を実施するための形態】
【００２９】
以下、本発明のＬＥＤ照明装置の第１の実施形態について説明する。図１は第１の実施形態のＬＥＤ照明装置１００を示した図である。詳細には、図１（Ａ）は第１の実施形態のＬＥＤ照明装置１００の正面図、図１（Ｂ）は図１（Ａ）のＡ矢視図、図１（Ｃ）は図１（Ａ）のＢ−Ｂ線に沿った断面図、図１（Ｄ）はレンズ３を透視して見た第１の実施形態のＬＥＤ照明装置１００の正面図である。図２は第１の実施形態のＬＥＤ照明装置１００の一部を構成するＬＥＤ光源１などを示した図である。詳細には、図２（Ａ）は図１（Ｄ）中のＬＥＤ光源１などを拡大して示した図、図２（Ｂ）は図２（Ａ）のＣ−Ｃ線に沿った断面図、図２（Ｃ）は図２（Ａ）のＤ−Ｄ線に沿った水平断面図である。図３および図４は第１の実施形態のＬＥＤ照明装置１００の一部を構成するレンズ３を示した図である。詳細には、図３（Ａ）はレンズ３の正面図、図３（Ｂ）は図３（Ａ）のＥ矢視図、図３（Ｃ）は右下側かつ前側から見たレンズ３の斜視図、図３（Ｄ）は図３（Ａ）のＦ−Ｆ線に沿った断面図、図３（Ｅ）はレンズ３の後側面図、図４は図３（Ｄ）中のレンズ３の一部を拡大して示した図である。
【００３０】
図５は図１（Ｃ）に示す断面内におけるＬＥＤ光源１からの光の光路を示した図である。図６は図１（Ｃ）に示す断面に垂直な断面であって、レンズ３の中心軸線３’を含む断面内におけるＬＥＤ光源１からの光の光路を示した図である。図７は第１の実施形態のＬＥＤ照明装置１００とスクリーンＳＣとの関係を概略的に示した斜視図である。詳細には、図７は左上側かつ前側から見た第１の実施形態のＬＥＤ照明装置１００およびスクリーンＳＣの概略的な斜視図である。
【００３１】
第１の実施形態のＬＥＤ照明装置１００では、図１（Ｃ）、図１（Ｄ）、図２、図５、図６および図７に示すように、ＬＥＤ光源１がレンズ３の中心軸線３’上に配置されている。詳細には、第１の実施形態のＬＥＤ照明装置１００では、図２に示すように、基板２に実装された発光素子１ａの前側（図２（Ｂ）の右上側、図２（Ｃ）の上側）表面によって、ＬＥＤ光源１の四角形の発光面１−１が構成されている。また、図１に示すように、レンズ３が、例えばフランジ部３ｇを介して基板２に接続されている。
【００３２】
更に、第１の実施形態のＬＥＤ照明装置１００では、図４に示すように、ＬＥＤ光源１（図５および図６参照）から照射された光の一部（例えば光Ｌａ１ａ，Ｌａ１ｂ（図５（Ａ）参照）、光Ｌｂ１ａ１，Ｌｂ１ｂ１，Ｌｂ１ｂ１’（図５（Ｂ）参照）、光Ｌｂ３ａ１，Ｌｂ３ａ１’，Ｌｂ３ｂ１（図５（Ｃ）参照）、光Ｌａ１ｃ，Ｌａ１ｄ（図６（Ａ）参照）、光Ｌｂ４ｃ１，Ｌｂ４ｃ１’，Ｌｂ４ｄ１（図６（Ｂ）参照）、光Ｌｂ２ｃ１，Ｌｂ２ｄ１，Ｌｂ２ｄ１’（図６（Ｃ）参照）など）が透過する入射面３ａが、レンズ３の中心軸線３’上に形成されている。更に、レンズ３の中心軸線３’を中心に曲線ａｂを３６０°回転させることにより得られる凸状の曲面によって入射面３ａが構成されている。
【００３３】
また、第１の実施形態のＬＥＤ照明装置１００では、図４に示すように、ＬＥＤ光源１（図５および図６参照）から照射された光の他の一部（例えば光Ｌａ２ａ，Ｌａ２ｂ（図５（Ａ）参照）、光Ｌｂ１ａ２，Ｌｂ１ｂ２（図５（Ｂ）参照）、光Ｌｂ３ａ２，Ｌｂ３ｂ２（図５（Ｃ）参照）、光Ｌａ２ｃ，Ｌａ２ｄ（図６（Ａ）参照）、光Ｌｂ４ｃ２，Ｌｂ４ｄ２（図６（Ｂ）参照）、光Ｌｂ２ｃ２，Ｌｂ２ｄ２（図６（Ｃ）参照）など）が透過する入射面３ｂ１が、入射面３ａよりもレンズ３の中心軸線３’から離れた位置に形成されている。更に、レンズ３の中心軸線３’を中心に直線ｂｃまたは曲線を３６０°回転させることにより得られる曲面によって入射面３ｂ１が構成されている。
【００３４】
更に、第１の実施形態のＬＥＤ照明装置１００では、図４に示すように、入射面３ｂ１を透過した光（例えば光Ｌａ２ａ，Ｌａ２ｂ（図５（Ａ）参照）、光Ｌｂ１ａ２，Ｌｂ１ｂ２（図５（Ｂ）参照）、光Ｌｂ３ａ２，Ｌｂ３ｂ２（図５（Ｃ）参照）、光Ｌａ２ｃ，Ｌａ２ｄ（図６（Ａ）参照）、光Ｌｂ４ｃ２，Ｌｂ４ｄ２（図６（Ｂ）参照）、光Ｌｂ２ｃ２，Ｌｂ２ｄ２（図６（Ｃ）参照）など）を反射する反射面３ｃ１が、入射面３ｂ１よりもレンズ３の中心軸線３’から離れた位置に形成されている。また、レンズ３の中心軸線３’を中心に曲線ｃｄまたは直線を３６０°回転させることにより得られる曲面によって反射面３ｃ１が構成されている。
【００３５】
また、第１の実施形態のＬＥＤ照明装置１００では、図４に示すように、ＬＥＤ光源１（図５および図６参照）から照射された光の更に他の一部（例えば光Ｌａ３ａ，Ｌａ３ｂ（図５（Ａ）参照）、光Ｌｂ１ａ３，Ｌｂ１ｂ３（図５（Ｂ）参照）、光Ｌｂ３ａ３，Ｌｂ３ｂ３（図５（Ｃ）参照）、光Ｌａ３ｃ，Ｌａ３ｄ（図６（Ａ）参照）、光Ｌｂ４ｃ３，Ｌｂ４ｄ３（図６（Ｂ）参照）、光Ｌｂ２ｃ３，Ｌｂ２ｄ３（図６（Ｃ）参照）など）が透過する入射面３ｂ２が、反射面３ｃ１よりもレンズ３の中心軸線３’から離れた位置に形成されている。更に、レンズ３の中心軸線３’を中心に直線ｄｅまたは曲線を３６０°回転させることにより得られる曲面によって入射面３ｂ２が構成されている。
【００３６】
更に、第１の実施形態のＬＥＤ照明装置１００では、図４に示すように、入射面３ｂ２を透過した光（例えば光Ｌａ３ａ，Ｌａ３ｂ（図５（Ａ）参照）、光Ｌｂ１ａ３，Ｌｂ１ｂ３（図５（Ｂ）参照）、光Ｌｂ３ａ３，Ｌｂ３ｂ３（図５（Ｃ）参照）、光Ｌａ３ｃ，Ｌａ３ｄ（図６（Ａ）参照）、光Ｌｂ４ｃ３，Ｌｂ４ｄ３（図６（Ｂ）参照）、光Ｌｂ２ｃ３，Ｌｂ２ｄ３（図６（Ｃ）参照）など）を反射する反射面３ｃ２が、入射面３ｂ２よりもレンズ３の中心軸線３’から離れた位置に形成されている。また、レンズ３の中心軸線３’を中心に曲線ｅｆまたは直線を３６０°回転させることにより得られる曲面によって反射面３ｃ２が構成されている。
【００３７】
また、第１の実施形態のＬＥＤ照明装置１００では、図４に示すように、入射面３ａを透過した光の一部（例えば光Ｌａ１ａ，Ｌａ１ｂ（図５（Ａ）参照）、光Ｌｂ１ａ１，Ｌｂ１ｂ１（図５（Ｂ）参照）、光Ｌｂ３ａ１，Ｌｂ３ｂ１（図５（Ｃ）参照）、光Ｌａ１ｃ，Ｌａ１ｄ（図６（Ａ）参照）、光Ｌｂ４ｃ１，Ｌｂ４ｄ１（図６（Ｂ）参照）、光Ｌｂ２ｃ１，Ｌｂ２ｄ１（図６（Ｃ）参照）など）を反射する反射面３ｄがレンズ３の中心軸線３’上に形成されている。更に、レンズ３の中心軸線３’と４５°の角度をなす直線ｈｉをレンズ３の中心軸線３’を中心に３６０°回転させることにより得られる凹状の円錐面によって反射面３ｄが構成されている。
【００３８】
更に、第１の実施形態のＬＥＤ照明装置１００では、図４に示すように、反射面３ｄによって反射された光（例えば光Ｌａ１ａ，Ｌａ１ｂ（図５（Ａ）参照）、光Ｌｂ１ａ１，Ｌｂ１ｂ１（図５（Ｂ）参照）、光Ｌｂ３ａ１，Ｌｂ３ｂ１（図５（Ｃ）参照）、光Ｌａ１ｃ，Ｌａ１ｄ（図６（Ａ）参照）、光Ｌｂ４ｃ１，Ｌｂ４ｄ１（図６（Ｂ）参照）、光Ｌｂ２ｃ１，Ｌｂ２ｄ１（図６（Ｃ）参照）など）を反射する反射面３ｅが、反射面３ｃ２および反射面３ｄよりもレンズ３の中心軸線３’から離れた位置に形成されている。また、レンズ３の中心軸線３’と４５°の角度をなす直線ｆｇをレンズ３の中心軸線３’を中心に３６０°回転させることにより得られる曲面によって反射面３ｅが構成されている。
【００３９】
また、第１の実施形態のＬＥＤ照明装置１００では、図４に示すように、入射面３ａを透過した光の一部（例えば光Ｌｂ１ｂ１’（図５（Ｂ）参照）、光Ｌｂ３ａ１’（図５（Ｃ）参照）、光Ｌｂ４ｃ１’（図６（Ｂ）参照）、光Ｌｂ２ｄ１’（図６（Ｃ）参照）など）、反射面３ｃ１によって反射された光（例えば光Ｌａ２ａ，Ｌａ２ｂ（図５（Ａ）参照）、光Ｌｂ１ａ２，Ｌｂ１ｂ２（図５（Ｂ）参照）、光Ｌｂ３ａ２，Ｌｂ３ｂ２（図５（Ｃ）参照）、光Ｌａ２ｃ，Ｌａ２ｄ（図６（Ａ）参照）、光Ｌｂ４ｃ２，Ｌｂ４ｄ２（図６（Ｂ）参照）、光Ｌｂ２ｃ２，Ｌｂ２ｄ２（図６（Ｃ）参照）など）、反射面３ｃ２によって反射された光（例えば光Ｌａ３ａ，Ｌａ３ｂ（図５（Ａ）参照）、光Ｌｂ１ａ３，Ｌｂ１ｂ３（図５（Ｂ）参照）、光Ｌｂ３ａ３，Ｌｂ３ｂ３（図５（Ｃ）参照）、光Ｌａ３ｃ，Ｌａ３ｄ（図６（Ａ）参照）、光Ｌｂ４ｃ３，Ｌｂ４ｄ３（図６（Ｂ）参照）、光Ｌｂ２ｃ３，Ｌｂ２ｄ３（図６（Ｃ）参照）など）、および、反射面３ｅによって反射された光（例えば光Ｌａ１ａ，Ｌａ１ｂ（図５（Ａ）参照）、光Ｌｂ１ａ１，Ｌｂ１ｂ１（図５（Ｂ）参照）、光Ｌｂ３ａ１，Ｌｂ３ｂ１（図５（Ｃ）参照）、光Ｌａ１ｃ，Ｌａ１ｄ（図６（Ａ）参照）、光Ｌｂ４ｃ１，Ｌｂ４ｄ１（図６（Ｂ）参照）、光Ｌｂ２ｃ１，Ｌｂ２ｄ１（図６（Ｃ）参照）など）が透過する出射面３ｆが、反射面３ｄよりもレンズ３の中心軸線３’から離れた位置に形成されている。更に、レンズ３の中心軸線３’に垂直な直線ｊｋをレンズ３の中心軸線３’を中心に３６０°回転させることにより得られる平面によって出射面３ｆが構成されている。
【００４０】
図８はＬＥＤ光源１（図７参照）の発光面１−１（図２参照）から照射され、レンズ３（図７参照）の入射面３ａ（図４参照）を透過し、反射面３ｄ，３ｅ（図４参照）を介することなく出射面３ｆ（図７参照）を透過する光（例えば光Ｌｂ１ｂ１’（図５（Ｂ）参照）、光Ｌｂ３ａ１’（図５（Ｃ）参照）、光Ｌｂ４ｃ１’（図６（Ｂ）参照）、光Ｌｂ２ｄ１’（図６（Ｃ）参照）など）によってスクリーンＳＣ（図７参照）に形成される配光パターンＰ１ｂ１，Ｐ１ｂ２，Ｐ１ｂ３，Ｐ１ｂ４を、図７の右側からスクリーンＳＣを透視して見た図である。
【００４１】
第１の実施形態のＬＥＤ照明装置１００では、図８に示すように、スクリーンＳＣ上のレンズ３の中心軸線３’の左上側に位置する配光パターンＰ１ｂ１が、ＬＥＤ光源１の発光面１−１の周辺部１−１ｂ（図２参照）の右下隅部１−１ｂ１（図２および図７参照）などから照射され、レンズ３の入射面３ａを透過し、反射面３ｄ，３ｅを介することなく出射面３ｆを透過する光（例えば光Ｌｂ１ｂ１’（図５（Ｂ）参照）など）によって形成される。また、スクリーンＳＣ上のレンズ３の中心軸線３’の右下側に位置する配光パターンＰ１ｂ３が、ＬＥＤ光源１の発光面１−１の周辺部１−１ｂ（図２参照）の左上隅部１−１ｂ３（図２および図７参照）などから照射され、レンズ３の入射面３ａを透過し、反射面３ｄ，３ｅを介することなく出射面３ｆを透過する光（例えば光Ｌｂ３ａ１’（図５（Ｃ）参照）など）によって形成される。更に、スクリーンＳＣ上のレンズ３の中心軸線３’の右上側に位置する配光パターンＰ１ｂ４が、ＬＥＤ光源１の発光面１−１の周辺部１−１ｂ（図２参照）の左下隅部１−１ｂ４（図２および図７参照）などから照射され、レンズ３の入射面３ａを透過し、反射面３ｄ，３ｅを介することなく出射面３ｆを透過する光（例えば光Ｌｂ４ｃ１’（図６（Ｂ）参照）など）によって形成される。また、スクリーンＳＣ上のレンズ３の中心軸線３’の左下側に位置する配光パターンＰ１ｂ２が、ＬＥＤ光源１の発光面１−１の周辺部１−１ｂ（図２参照）の右上隅部１−１ｂ２（図２および図７参照）などから照射され、レンズ３の入射面３ａを透過し、反射面３ｄ，３ｅを介することなく出射面３ｆを透過する光（例えば光Ｌｂ２ｄ１’（図６（Ｃ）参照）など）によって形成される。
【００４２】
図９はＬＥＤ光源１（図７参照）の発光面１−１（図２参照）から照射され、レンズ３（図７参照）の入射面３ａ（図４参照）を透過し、反射面３ｄ，３ｅ（図４参照）によって反射され、出射面３ｆ（図７参照）を透過する光（例えば光Ｌａ１ａ，Ｌａ１ｂ（図５（Ａ）参照）、光Ｌｂ１ａ１，Ｌｂ１ｂ１（図５（Ｂ）参照）、光Ｌｂ３ａ１，Ｌｂ３ｂ１（図５（Ｃ）参照）、光Ｌａ１ｃ，Ｌａ１ｄ（図６（Ａ）参照）、光Ｌｂ４ｃ１，Ｌｂ４ｄ１（図６（Ｂ）参照）、光Ｌｂ２ｃ１，Ｌｂ２ｄ１（図６（Ｃ）参照）など）によってスクリーンＳＣ（図７参照）に形成される配光パターンＰｅを、図７の右側からスクリーンＳＣを透視して見た図である。
【００４３】
図１０はＬＥＤ光源１（図７参照）の発光面１−１（図２参照）から照射され、レンズ３（図７参照）の入射面３ｂ１，３ｂ２（図４参照）を透過し、反射面３ｃ１，３ｃ２（図４参照）によって反射され、出射面３ｆ（図７参照）を透過する光（例えば光Ｌａ２ａ，Ｌａ３ａ，Ｌａ２ｂ，Ｌａ３ｂ（図５（Ａ）参照）、光Ｌｂ１ａ２，Ｌｂ１ａ３，Ｌｂ１ｂ２，Ｌｂ１ｂ３（図５（Ｂ）参照）、光Ｌｂ３ａ２，Ｌｂ３ａ３，Ｌｂ３ｂ２，Ｌｂ３ｂ３（図５（Ｃ）参照）、光Ｌａ２ｃ，Ｌａ３ｃ，Ｌａ２ｄ，Ｌａ３ｄ（図６（Ａ）参照）、光Ｌｂ４ｃ２，Ｌｂ４ｃ３，Ｌｂ４ｄ２，Ｌｂ４ｄ３（図６（Ｂ）参照）、光Ｌｂ２ｃ２，Ｌｂ２ｃ３，Ｌｂ２ｄ２，Ｌｂ２ｄ３（図６（Ｃ）参照）など）によってスクリーンＳＣ（図７参照）に形成される配光パターンＰｃを、図７の右側からスクリーンＳＣを透視して見た図である。
【００４４】
図１１は第１の実施形態のＬＥＤ照明装置１００から照射される光によってスクリーンＳＣ（図７参照）に形成される配光パターンＰを、図７の右側からスクリーンＳＣを透視して見た図である。図１１に示す配光パターンＰは、配光パターンＰ１ｂ１，Ｐ１ｂ２，Ｐ１ｂ３，Ｐ１ｂ４（図８参照）、配光パターンＰｅ（図９参照）および配光パターンＰｃ（図１０参照）を合成することにより得られる。
【００４５】
第１の実施形態のＬＥＤ照明装置１００では、図５（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と例えば１３°の角度をなして右下側かつ前側に照射された光Ｌａ１ａが、入射面３ａを透過してレンズ３の中心軸線３’に平行に進む光になり、次いで、反射面３ｄによって反射されてレンズ３の中心軸線３’に垂直に進む光になり、次いで、反射面３ｅによって反射されてレンズ３の中心軸線３’に平行に進む光になり、次いで、出射面３ｆを透過してレンズ３の中心軸線３’に平行に進む光になり、ＬＥＤ照明装置１００の照射方向（図５（Ａ）の右上側）に照射される。
【００４６】
また、第１の実施形態のＬＥＤ照明装置１００では、図５（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と例えば１３°の角度をなして左上側かつ前側に照射された光Ｌａ１ｂが、入射面３ａを透過してレンズ３の中心軸線３’に平行に進む光になり、次いで、反射面３ｄによって反射されてレンズ３の中心軸線３’に垂直に進む光になり、次いで、反射面３ｅによって反射されてレンズ３の中心軸線３’に平行に進む光になり、次いで、出射面３ｆを透過してレンズ３の中心軸線３’に平行に進む光になり、ＬＥＤ照明装置１００の照射方向（図５（Ａ）の右上側）に照射される。
【００４７】
更に、第１の実施形態のＬＥＤ照明装置１００では、図６（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と例えば１３°の角度をなして右上側かつ前側に照射された光Ｌａ１ｃが、入射面３ａを透過してレンズ３の中心軸線３’に平行に進む光になり、次いで、反射面３ｄによって反射されてレンズ３の中心軸線３’に垂直に進む光になり、次いで、反射面３ｅによって反射されてレンズ３の中心軸線３’に平行に進む光になり、次いで、出射面３ｆを透過してレンズ３の中心軸線３’に平行に進む光になり、ＬＥＤ照明装置１００の照射方向（図６（Ａ）の左上側）に照射される。
【００４８】
また、第１の実施形態のＬＥＤ照明装置１００では、図６（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と例えば１３°の角度をなして左下側かつ前側に照射された光Ｌａ１ｄが、入射面３ａを透過してレンズ３の中心軸線３’に平行に進む光になり、次いで、反射面３ｄによって反射されてレンズ３の中心軸線３’に垂直に進む光になり、次いで、反射面３ｅによって反射されてレンズ３の中心軸線３’に平行に進む光になり、次いで、出射面３ｆを透過してレンズ３の中心軸線３’に平行に進む光になり、ＬＥＤ照明装置１００の照射方向（図６（Ａ）の左上側）に照射される。
【００４９】
更に、第１の実施形態のＬＥＤ照明装置１００では、図５（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と１３°より大きい例えば２８°の角度をなして右下側かつ前側に照射された光Ｌａ２ａが、入射面３ｂ１を透過し、次いで、反射面３ｃ１によって反射されてレンズ３の中心軸線３’に平行に進む光になり、次いで、出射面３ｆを透過してレンズ３の中心軸線３’に平行に進む光になり、ＬＥＤ照明装置１００の照射方向（図５（Ａ）の右上側）に照射される。
【００５０】
また、第１の実施形態のＬＥＤ照明装置１００では、図５（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と１３°より大きい例えば２８°の角度をなして左上側かつ前側に照射された光Ｌａ２ｂが、入射面３ｂ１を透過し、次いで、反射面３ｃ１によって反射されてレンズ３の中心軸線３’に平行に進む光になり、次いで、出射面３ｆを透過してレンズ３の中心軸線３’に平行に進む光になり、ＬＥＤ照明装置１００の照射方向（図５（Ａ）の右上側）に照射される。
【００５１】
更に、第１の実施形態のＬＥＤ照明装置１００では、図６（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と１３°より大きい例えば２８°の角度をなして右上側かつ前側に照射された光Ｌａ２ｃが、入射面３ｂ１を透過し、次いで、反射面３ｃ１によって反射されてレンズ３の中心軸線３’に平行に進む光になり、次いで、出射面３ｆを透過してレンズ３の中心軸線３’に平行に進む光になり、ＬＥＤ照明装置１００の照射方向（図６（Ａ）の左上側）に照射される。
【００５２】
また、第１の実施形態のＬＥＤ照明装置１００では、図６（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と１３°より大きい例えば２８°の角度をなして左下側かつ前側に照射された光Ｌａ２ｄが、入射面３ｂ１を透過し、次いで、反射面３ｃ１によって反射されてレンズ３の中心軸線３’に平行に進む光になり、次いで、出射面３ｆを透過してレンズ３の中心軸線３’に平行に進む光になり、ＬＥＤ照明装置１００の照射方向（図６（Ａ）の左上側）に照射される。
【００５３】
更に、第１の実施形態のＬＥＤ照明装置１００では、図５（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と２８°より大きい例えば５２°の角度をなして右下側かつ前側に照射された光Ｌａ３ａが、入射面３ｂ２を透過し、次いで、反射面３ｃ２によって反射されてレンズ３の中心軸線３’に平行に進む光になり、次いで、出射面３ｆを透過してレンズ３の中心軸線３’に平行に進む光になり、ＬＥＤ照明装置１００の照射方向（図５（Ａ）の右上側）に照射される。
【００５４】
また、第１の実施形態のＬＥＤ照明装置１００では、図５（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と２８°より大きい例えば５２°の角度をなして左上側かつ前側に照射された光Ｌａ３ｂが、入射面３ｂ２を透過し、次いで、反射面３ｃ２によって反射されてレンズ３の中心軸線３’に平行に進む光になり、次いで、出射面３ｆを透過してレンズ３の中心軸線３’に平行に進む光になり、ＬＥＤ照明装置１００の照射方向（図５（Ａ）の右上側）に照射される。
【００５５】
更に、第１の実施形態のＬＥＤ照明装置１００では、図６（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と２８°より大きい例えば５２°の角度をなして右上側かつ前側に照射された光Ｌａ３ｃが、入射面３ｂ２を透過し、次いで、反射面３ｃ２によって反射されてレンズ３の中心軸線３’に平行に進む光になり、次いで、出射面３ｆを透過してレンズ３の中心軸線３’に平行に進む光になり、ＬＥＤ照明装置１００の照射方向（図６（Ａ）の左上側）に照射される。
【００５６】
また、第１の実施形態のＬＥＤ照明装置１００では、図６（Ａ）に示すように、ＬＥＤ光源１の発光面１−１（図２参照）の中央部１−１ａ（図２参照）のうち、レンズ３の中心軸線３’上に位置する中心点１−１ａ１からレンズ３の中心軸線３’と２８°より大きい例えば５２°の角度をなして左下側かつ前側に照射された光Ｌａ３ｄが、入射面３ｂ２を透過し、次いで、反射面３ｃ２によって反射されてレンズ３の中心軸線３’に平行に進む光になり、次いで、出射面３ｆを透過してレンズ３の中心軸線３’に平行に進む光になり、ＬＥＤ照明装置１００の照射方向（図６（Ａ）の左上側）に照射される。
【００５７】
更に、第１の実施形態のＬＥＤ照明装置１００では、図５（Ｂ）に示すように、ＬＥＤ光源１の発光面１−１（図２参照）の周辺部１−１ｂ（図２参照）の右下隅部１−１ｂ１からレンズ３の中心軸線３’と例えば７°の角度をなして右下側かつ前側に照射された光Ｌｂ１ａ１が、入射面３ａを透過し、次いで、反射面３ｄによって反射され、次いで、反射面３ｅによって反射され、次いで、出射面３ｆを透過し、レンズ３の中心軸線３’と例えば４°の角度をなして左上側かつ前側に照射される。
【００５８】
また、第１の実施形態のＬＥＤ照明装置１００では、図５（Ｂ）に示すように、ＬＥＤ光源１の発光面１−１（図２参照）の周辺部１−１ｂ（図２参照）の右下隅部１−１ｂ１からレンズ３の中心軸線３’と例えば１５°の角度をなして左上側かつ前側に照射された光Ｌｂ１ｂ１が、入射面３ａを透過し、次いで、反射面３ｄによって反射され、次いで、反射面３ｅによって反射され、次いで、出射面３ｆを透過し、レンズ３の中心軸線３’と例えば３°の角度をなして左上側かつ前側に照射される。
【００５９】
更に、第１の実施形態のＬＥＤ照明装置１００では、図５（Ｂ）に示すように、ＬＥＤ光源１の発光面１−１（図２参照）の周辺部１−１ｂ（図２参照）の右下隅部１−１ｂ１からレンズ３の中心軸線３’と１５°より大きい例えば２４°の角度をなして左上側かつ前側に照射された光Ｌｂ１ｂ１’が、入射面３ａを透過し、次いで、出射面３ｆを透過し、レンズ３の中心軸線３’と例えば２°の角度をなして左上側かつ前側に照射される。その結果、ＬＥＤ光源１の発光面１−１（図２参照）の周辺部１−１ｂ（図２参照）の右下隅部１−１ｂ１（図２（Ａ）および図７参照）がレンズ３によって投影され、配光パターンＰ１ｂ１（図８参照）がスクリーンＳＣ（図７および図８参照）に形成される。
【００６０】
また、第１の実施形態のＬＥＤ照明装置１００では、図５（Ｂ）に示すように、ＬＥＤ光源１の発光面１−１（図２参照）の周辺部１−１ｂ（図２参照）の右下隅部１−１ｂ１からレンズ３の中心軸線３’と７°より大きい例えば２２°の角度をなして右下側かつ前側に照射された光Ｌｂ１ａ２が、入射面３ｂ１を透過し、次いで、反射面３ｃ１によって反射され、次いで、出射面３ｆを透過し、レンズ３の中心軸線３’と例えば２°の角度をなして右下側かつ前側に照射される。
【００６１】
更に、第１の実施形態のＬＥＤ照明装置１００では、図５（Ｂ）に示すように、ＬＥＤ光源１の発光面１−１（図２参照）の周辺部１−１ｂ（図２参照）の右下隅部１−１ｂ１からレンズ３の中心軸線３’と２４°より大きい例えば２８°の角度をなして左上側かつ前側に照射された光Ｌｂ１ｂ２が、入射面３ｂ１を透過し、次いで、反射面３ｃ１によって反射され、次いで、出射面３ｆを透過し、レンズ３の中心軸線３’と例えば２°の角度をなして右下側かつ前側に照射される。
【００６２】
また、第１の実施形態のＬＥＤ照明装置１００では、図５（Ｂ）に示すように、ＬＥＤ光源１の発光面１−１（図２参照）の周辺部１−１ｂ（図２参照）の右下隅部１−１ｂ１からレンズ３の中心軸線３’と２２°より大きい例えば４０°の角度をなして右下側かつ前側に照射された光Ｌｂ１ａ３が、入射面３ｂ２を透過し、次いで、反射面３ｃ２によって反射され、次いで、出射面３ｆを透過し、レンズ３の中心軸線３’と例えば１°の角度をなして右下側かつ前側に照射される。
【００６３】
更に、第１の実施形態のＬＥＤ照明装置１００では、図５（Ｂ）に示すように、ＬＥＤ光源１の発光面１−１（図２参照）の周辺部１−１ｂ（図２参照）の右下隅部１−１ｂ１からレンズ３の中心軸線３’と２８°より大きい例えば４４°の角度をなして左上側かつ前側に照射された光Ｌｂ１ｂ３が、入射面３ｂ２を透過し、次いで、反射面３ｃ２によって反射され、次いで、出射面３ｆを透過し、レンズ３の中心軸線３’と例えば１°の角度をなして右下側かつ前側に照射される。
【００６４】
また、第１の実施形態のＬＥＤ照明装置１００では、図５（Ｃ）に示すように、ＬＥＤ光源１の発光面１−１（図２参照）の周辺部１−１ｂ（図２参照）の左上隅部１−１ｂ３からレンズ３の中心軸線３’と例えば１５°の角度をなして右下側かつ前側に照射された光Ｌｂ３ａ１が、入射面３ａを透過し、次いで、反射面３ｄによって反射され、次いで、反射面３ｅによって反射され、次いで、出射面３ｆを透過し、レンズ３の中心軸線３’と例えば３°の角度をなして右下側かつ前側に照射される。
【００６５】
更に、第１の実施形態のＬＥＤ照明装置１００では、図５（Ｃ）に示すように、ＬＥＤ光源１の発光面１−１（図２参照）の周辺部１−１ｂ（図２参照）の左上隅部１−１ｂ３からレンズ３の中心軸線３’と１５°より大きい例えば２４°の角度をなして右下側かつ前側に照射された光Ｌｂ３ａ１’が、入射面３ａを透過し、次いで、出射面３ｆを透過し、レンズ３の中心軸線３’と例えば２°の角度をなして右下側かつ前側に照射される。その結果、ＬＥＤ光源１の発光面１−１（図２参照）の周辺部１−１ｂ（図２参照）の左上隅部１−１ｂ３（図２（Ａ）および図７参照）がレンズ３によって投影され、配光パターンＰ１ｂ３（図８参照）がスクリーンＳＣ（図７および図８参照）に形成される。
【００６６】
また、第１の実施形態のＬＥＤ照明装置１００では、図５（Ｃ）に示すように、ＬＥＤ光源１の発光面１−１（図２参照）の周辺部１−１ｂ（図２参照）の左上隅部１−１ｂ３からレンズ３の中心軸線３’と例えば７°の角度をなして左上側かつ前側に照射された光Ｌｂ３ｂ１が、入射面３ａを透過し、次いで、反射面３ｄによって反射され、次いで、反射面３ｅによって反射され、次いで、出射面３ｆを透過し、レンズ３の中心軸線３’と例えば４°の角度をなして右下側かつ前側に照射される。
【００６７】
更に、第１の実施形態のＬＥＤ照明装置１００では、図５（Ｃ）に示すように、ＬＥＤ光源１の発光面１−１（図２参照）の周辺部１−１ｂ（図２参照）の左上隅部１−１ｂ３からレンズ３の中心軸線３’と２４°より大きい例えば２８°の角度をなして右下側かつ前側に照射された光Ｌｂ３ａ２が、入射面３ｂ１を透過し、次いで、反射面３ｃ１によって反射され、次いで、出射面３ｆを透過し、レンズ３の中心軸線３’と例えば２°の角度をなして左上側かつ前側に照射される。
【００６８】
また、第１の実施形態のＬＥＤ照明装置１００では、図５（Ｃ）に示すように、ＬＥＤ光源１の発光面１−１（図２参照）の周辺部１−１ｂ（図２参照）の左上隅部１−１ｂ３からレンズ３の中心軸線３’と７°より大きい例えば２２°の角度をなして左上側かつ前側に照射された光Ｌｂ３ｂ２が、入射面３ｂ１を透過し、次いで、反射面３ｃ１によって反射され、次いで、出射面３ｆを透過し、レンズ３の中心軸線３’と例えば２°の角度をなして左上側かつ前側に照射される。
【００６９】
更に、第１の実施形態のＬＥＤ照明装置１００では、図５（Ｃ）に示すように、ＬＥＤ光源１の発光面１−１（図２参照）の周辺部１−１ｂ（図２参照）の左上隅部１−１ｂ３からレンズ３の中心軸線３’と２８°より大きい例えば４４°の角度をなして右下側かつ前側に照射された光Ｌｂ３ａ３が、入射面３ｂ２を透過し、次いで、反射面３ｃ２によって反射され、次いで、出射面３ｆを透過し、レンズ３の中心軸線３’と例えば１°の角度をなして左上側かつ前側に照射される。
【００７０】
また、第１の実施形態のＬＥＤ照明装置１００では、図５（Ｃ）に示すように、ＬＥＤ光源１の発光面１−１（図２参照）の周辺部１−１ｂ（図２参照）の左上隅部１−１ｂ３からレンズ３の中心軸線３’と２２°より大きい例えば４０°の角度をなして左上側かつ前側に照射された光Ｌｂ３ｂ３が、入射面３ｂ２を透過し、次いで、反射面３ｃ２によって反射され、次いで、出射面３ｆを透過し、レンズ３の中心軸線３’と例えば１°の角度をなして左上側かつ前側に照射される。
【００７１】
更に、第１の実施形態のＬＥＤ照明装置１００では、図６（Ｂ）に示すように、ＬＥＤ光源１の発光面１−１（図２参照）の周辺部１−１ｂ（図２参照）の左下隅部１−１ｂ４からレンズ３の中心軸線３’と例えば１５°の角度をなして右上側かつ前側に照射された光Ｌｂ４ｃ１が、入射面３ａを透過し、次いで、反射面３ｄによって反射され、次いで、反射面３ｅによって反射され、次いで、出射面３ｆを透過し、レンズ３の中心軸線３’と例えば３°の角度をなして右上側かつ前側に照射される。
【００７２】
また、第１の実施形態のＬＥＤ照明装置１００では、図６（Ｂ）に示すように、ＬＥＤ光源１の発光面１−１（図２参照）の周辺部１−１ｂ（図２参照）の左下隅部１−１ｂ４からレンズ３の中心軸線３’と１５°より大きい例えば２４°の角度をなして右上側かつ前側に照射された光Ｌｂ４ｃ１’が、入射面３ａを透過し、次いで、出射面３ｆを透過し、レンズ３の中心軸線３’と例えば２°の角度をなして右上側かつ前側に照射される。その結果、ＬＥＤ光源１の発光面１−１（図２参照）の周辺部１−１ｂ（図２参照）の左下隅部１−１ｂ４（図２（Ａ）および図７参照）がレンズ３によって投影され、配光パターンＰ１ｂ４（図８参照）がスクリーンＳＣ（図７および図８参照）に形成される。
【００７３】
更に、第１の実施形態のＬＥＤ照明装置１００では、図６（Ｂ）に示すように、ＬＥＤ光源１の発光面１−１（図２参照）の周辺部１−１ｂ（図２参照）の左下隅部１−１ｂ４からレンズ３の中心軸線３’と例えば７°の角度をなして左下側かつ前側に照射された光Ｌｂ４ｄ１が、入射面３ａを透過し、次いで、反射面３ｄによって反射され、次いで、反射面３ｅによって反射され、次いで、出射面３ｆを透過し、レンズ３の中心軸線３’と例えば４°の角度をなして右上側かつ前側に照射される。
【００７４】
また、第１の実施形態のＬＥＤ照明装置１００では、図６（Ｂ）に示すように、ＬＥＤ光源１の発光面１−１（図２参照）の周辺部１−１ｂ（図２参照）の左下隅部１−１ｂ４からレンズ３の中心軸線３’と２４°より大きい例えば２８°の角度をなして右上側かつ前側に照射された光Ｌｂ４ｃ２が、入射面３ｂ１を透過し、次いで、反射面３ｃ１によって反射され、次いで、出射面３ｆを透過し、レンズ３の中心軸線３’と例えば２°の角度をなして左下側かつ前側に照射される。
【００７５】
更に、第１の実施形態のＬＥＤ照明装置１００では、図６（Ｂ）に示すように、ＬＥＤ光源１の発光面１−１（図２参照）の周辺部１−１ｂ（図２参照）の左下隅部１−１ｂ４からレンズ３の中心軸線３’と７°より大きい例えば２２°の角度をなして左下側かつ前側に照射された光Ｌｂ４ｄ２が、入射面３ｂ１を透過し、次いで、反射面３ｃ１によって反射され、次いで、出射面３ｆを透過し、レンズ３の中心軸線３’と例えば２°の角度をなして左下側かつ前側に照射される。
【００７６】
また、第１の実施形態のＬＥＤ照明装置１００では、図６（Ｂ）に示すように、ＬＥＤ光源１の発光面１−１（図２参照）の周辺部１−１ｂ（図２参照）の左下隅部１−１ｂ４からレンズ３の中心軸線３’と２８°より大きい例えば４４°の角度をなして右上側かつ前側に照射された光Ｌｂ４ｃ３が、入射面３ｂ２を透過し、次いで、反射面３ｃ２によって反射され、次いで、出射面３ｆを透過し、レンズ３の中心軸線３’と例えば１°の角度をなして左下側かつ前側に照射される。
【００７７】
更に、第１の実施形態のＬＥＤ照明装置１００では、図６（Ｂ）に示すように、ＬＥＤ光源１の発光面１−１（図２参照）の周辺部１−１ｂ（図２参照）の左下隅部１−１ｂ４からレンズ３の中心軸線３’と２２°より大きい例えば４０°の角度をなして左下側かつ前側に照射された光Ｌｂ４ｄ３が、入射面３ｂ２を透過し、次いで、反射面３ｃ２によって反射され、次いで、出射面３ｆを透過し、レンズ３の中心軸線３’と例えば１°の角度をなして左下側かつ前側に照射される。
【００７８】
また、第１の実施形態のＬＥＤ照明装置１００では、図６（Ｃ）に示すように、ＬＥＤ光源１の発光面１−１（図２参照）の周辺部１−１ｂ（図２参照）の右上隅部１−１ｂ２からレンズ３の中心軸線３’と例えば７°の角度をなして右上側かつ前側に照射された光Ｌｂ２ｃ１が、入射面３ａを透過し、次いで、反射面３ｄによって反射され、次いで、反射面３ｅによって反射され、次いで、出射面３ｆを透過し、レンズ３の中心軸線３’と例えば４°の角度をなして左下側かつ前側に照射される。
【００７９】
更に、第１の実施形態のＬＥＤ照明装置１００では、図６（Ｃ）に示すように、ＬＥＤ光源１の発光面１−１（図２参照）の周辺部１−１ｂ（図２参照）の右上隅部１−１ｂ２からレンズ３の中心軸線３’と例えば１５°の角度をなして左下側かつ前側に照射された光Ｌｂ２ｄ１が、入射面３ａを透過し、次いで、反射面３ｄによって反射され、次いで、反射面３ｅによって反射され、次いで、出射面３ｆを透過し、レンズ３の中心軸線３’と例えば３°の角度をなして左下側かつ前側に照射される。
【００８０】
また、第１の実施形態のＬＥＤ照明装置１００では、図６（Ｃ）に示すように、ＬＥＤ光源１の発光面１−１（図２参照）の周辺部１−１ｂ（図２参照）の右上隅部１−１ｂ２からレンズ３の中心軸線３’と１５°より大きい例えば２４°の角度をなして左下側かつ前側に照射された光Ｌｂ２ｄ１’が、入射面３ａを透過し、次いで、出射面３ｆを透過し、レンズ３の中心軸線３’と例えば２°の角度をなして左下側かつ前側に照射される。その結果、ＬＥＤ光源１の発光面１−１（図２参照）の周辺部１−１ｂ（図２参照）の右上隅部１−１ｂ２（図２（Ａ）および図７参照）がレンズ３によって投影され、配光パターンＰ１ｂ２（図８参照）がスクリーンＳＣ（図７および図８参照）に形成される。
【００８１】
更に、第１の実施形態のＬＥＤ照明装置１００では、図６（Ｃ）に示すように、ＬＥＤ光源１の発光面１−１（図２参照）の周辺部１−１ｂ（図２参照）の右上隅部１−１ｂ２からレンズ３の中心軸線３’と７°より大きい例えば２２°の角度をなして右上側かつ前側に照射された光Ｌｂ２ｃ２が、入射面３ｂ１を透過し、次いで、反射面３ｃ１によって反射され、次いで、出射面３ｆを透過し、レンズ３の中心軸線３’と例えば２°の角度をなして右上側かつ前側に照射される。
【００８２】
また、第１の実施形態のＬＥＤ照明装置１００では、図６（Ｃ）に示すように、ＬＥＤ光源１の発光面１−１（図２参照）の周辺部１−１ｂ（図２参照）の右上隅部１−１ｂ２からレンズ３の中心軸線３’と２４°より大きい例えば２８°の角度をなして左下側かつ前側に照射された光Ｌｂ２ｄ２が、入射面３ｂ１を透過し、次いで、反射面３ｃ１によって反射され、次いで、出射面３ｆを透過し、レンズ３の中心軸線３’と例えば２°の角度をなして右上側かつ前側に照射される。
【００８３】
更に、第１の実施形態のＬＥＤ照明装置１００では、図６（Ｃ）に示すように、ＬＥＤ光源１の発光面１−１（図２参照）の周辺部１−１ｂ（図２参照）の右上隅部１−１ｂ２からレンズ３の中心軸線３’と２２°より大きい例えば４０°の角度をなして右上側かつ前側に照射された光Ｌｂ２ｃ３が、入射面３ｂ２を透過し、次いで、反射面３ｃ２によって反射され、次いで、出射面３ｆを透過し、レンズ３の中心軸線３’と例えば１°の角度をなして右上側かつ前側に照射される。
【００８４】
また、第１の実施形態のＬＥＤ照明装置１００では、図６（Ｃ）に示すように、ＬＥＤ光源１の発光面１−１（図２参照）の周辺部１−１ｂ（図２参照）の右上隅部１−１ｂ２からレンズ３の中心軸線３’と２８°より大きい例えば４４°の角度をなして左下側かつ前側に照射された光Ｌｂ２ｄ３が、入射面３ｂ２を透過し、次いで、反射面３ｃ２によって反射され、次いで、出射面３ｆを透過し、レンズ３の中心軸線３’と例えば１°の角度をなして右上側かつ前側に照射される。
【００８５】
図１２は比較例のＬＥＤ照明装置１００ｒｅｆ（図１７（Ｂ）参照）の一部を構成するレンズ３ｒｅｆを示した図である。詳細には、図１２は比較例のＬＥＤ照明装置１００ｒｅｆのレンズ３ｒｅｆの図４と同様の断面図である。図１３は図１２に示す断面内における比較例のＬＥＤ照明装置１００ｒｅｆのＬＥＤ光源１からの光の光路を示した図である。図１４は図１３に示す断面に垂直な断面であって、比較例のＬＥＤ照明装置１００ｒｅｆのレンズ３ｒｅｆの中心軸線３’を含む断面内における比較例のＬＥＤ照明装置１００ｒｅｆのＬＥＤ光源１からの光の光路を示した図である。
【００８６】
比較例のＬＥＤ照明装置１００ｒｅｆ（図１３および図１４参照）では、第１の実施形態のＬＥＤ照明装置１００（図５および図６参照）と同様に、ＬＥＤ光源１がレンズ３ｒｅｆの中心軸線３’上に配置されている。詳細には、比較例のＬＥＤ照明装置１００ｒｅｆでは、第１の実施形態のＬＥＤ照明装置１００と同様に、基板２（図２参照）に実装された発光素子１ａ（図２参照）の前側（図２（Ｂ）の右上側、図２（Ｃ）の上側）表面によって、ＬＥＤ光源１（図５および図６参照）の四角形の発光面１−１（図２参照）が構成されている。
【００８７】
更に、比較例のＬＥＤ照明装置１００ｒｅｆ（図１３および図１４参照）では、第１の実施形態のＬＥＤ照明装置１００（図５および図６参照）と同様に、ＬＥＤ光源１（図１３および図１４参照）から照射された光の一部（例えば光Ｌａ１ａ，Ｌａ１ｂ（図１３（Ａ）参照）、光Ｌｂ１ａ１，Ｌｂ１ｂ１，Ｌｂ１ｂ１’（図１３（Ｂ）参照）、光Ｌｂ３ａ１，Ｌｂ３ａ１’，Ｌｂ３ｂ１（図１３（Ｃ）参照）、光Ｌａ１ｃ，Ｌａ１ｄ（図１４（Ａ）参照）、光Ｌｂ４ｃ１，Ｌｂ４ｃ１’，Ｌｂ４ｄ１（図１４（Ｂ）参照）、光Ｌｂ２ｃ１，Ｌｂ２ｄ１，Ｌｂ２ｄ１’（図１４（Ｃ）参照）など）が透過する入射面３ａが、レンズ３ｒｅｆの中心軸線３’上に形成されている。更に、レンズ３ｒｅｆの中心軸線３’を中心に曲線ａｂ（図１２参照）を３６０°回転させることにより得られる凸状の曲面によって入射面３ａが構成されている。
【００８８】
第１の実施形態のＬＥＤ照明装置１００（図４参照）では、入射面３ａを透過した光の一部（例えば光Ｌａ１ａ，Ｌａ１ｂ（図５（Ａ）参照）、光Ｌｂ１ａ１，Ｌｂ１ｂ１（図５（Ｂ）参照）、光Ｌｂ３ａ１，Ｌｂ３ｂ１（図５（Ｃ）参照）、光Ｌａ１ｃ，Ｌａ１ｄ（図６（Ａ）参照）、光Ｌｂ４ｃ１，Ｌｂ４ｄ１（図６（Ｂ）参照）、光Ｌｂ２ｃ１，Ｌｂ２ｄ１（図６（Ｃ）参照）など）を反射する反射面３ｄがレンズ３の中心軸線３’上に形成されているのに対し、比較例のＬＥＤ照明装置１００ｒｅｆ（図１２参照）では、反射面３ｄ（図４参照）がレンズ３ｒｅｆに形成されていない。
【００８９】
更に、第１の実施形態のＬＥＤ照明装置１００（図４参照）では、反射面３ｄによって反射された光（例えば光Ｌａ１ａ，Ｌａ１ｂ（図５（Ａ）参照）、光Ｌｂ１ａ１，Ｌｂ１ｂ１（図５（Ｂ）参照）、光Ｌｂ３ａ１，Ｌｂ３ｂ１（図５（Ｃ）参照）、光Ｌａ１ｃ，Ｌａ１ｄ（図６（Ａ）参照）、光Ｌｂ４ｃ１，Ｌｂ４ｄ１（図６（Ｂ）参照）、光Ｌｂ２ｃ１，Ｌｂ２ｄ１（図６（Ｃ）参照）など）を反射する反射面３ｅが、反射面３ｃ２および反射面３ｄよりもレンズ３の中心軸線３’から離れた位置に形成されているのに対し、比較例のＬＥＤ照明装置１００ｒｅｆ（図１２参照）では、反射面３ｅ（図４参照）がレンズ３ｒｅｆに形成されていない。
【００９０】
また、第１の実施形態のＬＥＤ照明装置１００（図４参照）では、出射面３ｆがレンズ３の中心軸線３’上に形成されていないのに対し、比較例のＬＥＤ照明装置１００ｒｅｆ（図１２参照）では、出射面３ｆがレンズ３の中心軸線３’上にも形成されている。
【００９１】
図１５は比較例のＬＥＤ照明装置１００ｒｅｆ（図１７（Ｂ）参照）のＬＥＤ光源１（図１７（Ｂ）参照）の発光面１−１（図２参照）から照射され、レンズ３ｒｅｆ（図１７（Ｂ）参照）の入射面３ａ（図１２参照）を透過し、出射面３ｆ（図１２参照）を透過する光（例えば光Ｌａ１ａ，Ｌａ１ｂ（図１３（Ａ）参照）、光Ｌｂ１ａ１，Ｌｂ１ｂ１，Ｌｂ１ｂ１’（図１３（Ｂ）参照）、光Ｌｂ３ａ１，Ｌｂ３ａ１’，Ｌｂ３ｂ１（図１３（Ｃ）参照）、光Ｌａ１ｃ，Ｌａ１ｄ（図１４（Ａ）参照）、光Ｌｂ４ｃ１，Ｌｂ４ｃ１’，Ｌｂ４ｄ１（図１４（Ｂ）参照）、光Ｌｂ２ｃ１，Ｌｂ２ｄ１，Ｌｂ２ｄ１’（図１４（Ｃ）参照）など）によってスクリーンＳＣ（図１７（Ｂ）参照）に形成される配光パターンＰａを、図１７（Ｂ）の右側からスクリーンＳＣを透視して見た図である。
【００９２】
比較例のＬＥＤ照明装置１００ｒｅｆでは、図１５に示すように、配光パターンＰａのうち、スクリーンＳＣ上のレンズ３ｒｅｆの中心軸線３’の左上側に位置する部分Ｐａ１ｂ１が、ＬＥＤ光源１（図２参照）の発光面１−１（図２参照）の周辺部１−１ｂ（図２参照）の右下隅部１−１ｂ１（図２参照）から照射され、レンズ３ｒｅｆの入射面３ａを透過し、出射面３ｆを透過する光（例えば光Ｌｂ１ａ１，Ｌｂ１ｂ１，Ｌｂ１ｂ１’（図１３（Ｂ）参照）など）によって形成される。また、配光パターンＰａのうち、スクリーンＳＣ上のレンズ３ｒｅｆの中心軸線３’の右下側に位置する部分Ｐａ１ｂ３が、ＬＥＤ光源１（図２参照）の発光面１−１（図２参照）の周辺部１−１ｂ（図２参照）の左上隅部１−１ｂ３（図２参照）から照射され、レンズ３ｒｅｆの入射面３ａを透過し、出射面３ｆを透過する光（例えば光Ｌｂ３ａ１，Ｌｂ３ａ１’，Ｌｂ３ｂ１（図１３（Ｃ）参照）など）によって形成される。更に、配光パターンＰａのうち、スクリーンＳＣ上のレンズ３ｒｅｆの中心軸線３’の右上側に位置する部分Ｐａ１ｂ４が、ＬＥＤ光源１（図２参照）の発光面１−１（図２参照）の周辺部１−１ｂ（図２参照）の左下隅部１−１ｂ４（図２参照）から照射され、レンズ３ｒｅｆの入射面３ａを透過し、出射面３ｆを透過する光（例えば光Ｌｂ４ｃ１，Ｌｂ４ｃ１’，Ｌｂ４ｄ１（図１４（Ｂ）参照）など）によって形成される。また、配光パターンＰａのうち、スクリーンＳＣ上のレンズ３ｒｅｆの中心軸線３’の左下側に位置する部分Ｐａ１ｂ２が、ＬＥＤ光源１（図２参照）の発光面１−１（図２参照）の周辺部１−１ｂ（図２参照）の右上隅部１−１ｂ２（図２参照）から照射され、レンズ３ｒｅｆの入射面３ａを透過し、出射面３ｆを透過する光（例えば光Ｌｂ２ｃ１，Ｌｂ２ｄ１，Ｌｂ２ｄ１’（図１４（Ｃ）参照）など）によって形成される。
【００９３】
図１６は比較例のＬＥＤ照明装置１００ｒｅｆ（図１７（Ｂ）参照）から照射される光によってスクリーンＳＣ（図１７（Ｂ）参照）に形成される配光パターンＰｒｅｆを、図１７（Ｂ）の右側からスクリーンＳＣを透視して見た図である。図１６に示す配光パターンＰｒｅｆは、配光パターンＰａ（図１５参照）および配光パターンＰｃ（図１０参照）を合成することにより得られる。
【００９４】
比較例のＬＥＤ照明装置１００ｒｅｆでは、図１３（Ａ）に示すように、ＬＥＤ光源１の発光面１−１（図２参照）の中央部１−１ａ（図２参照）のうち、レンズ３ｒｅｆの中心軸線３’上に位置する中心点１−１ａ１からレンズ３ｒｅｆの中心軸線３’と例えば１３°の角度をなして右下側かつ前側に照射された光Ｌａ１ａが、入射面３ａを透過してレンズ３ｒｅｆの中心軸線３’に平行に進む光になり、次いで、出射面３ｆを透過してレンズ３ｒｅｆの中心軸線３’に平行に進む光になり、ＬＥＤ照明装置１００ｒｅｆの照射方向（図１３（Ａ）の右上側）に照射される。
【００９５】
また、比較例のＬＥＤ照明装置１００ｒｅｆでは、図１３（Ａ）に示すように、ＬＥＤ光源１の発光面１−１（図２参照）の中央部１−１ａ（図２参照）のうち、レンズ３ｒｅｆの中心軸線３’上に位置する中心点１−１ａ１からレンズ３ｒｅｆの中心軸線３’と例えば１３°の角度をなして左上側かつ前側に照射された光Ｌａ１ｂが、入射面３ａを透過してレンズ３ｒｅｆの中心軸線３’に平行に進む光になり、次いで、出射面３ｆを透過してレンズ３ｒｅｆの中心軸線３’に平行に進む光になり、ＬＥＤ照明装置１００ｒｅｆの照射方向（図１３（Ａ）の右上側）に照射される。
【００９６】
更に、比較例のＬＥＤ照明装置１００ｒｅｆでは、図１４（Ａ）に示すように、ＬＥＤ光源１の発光面１−１（図２参照）の中央部１−１ａ（図２参照）のうち、レンズ３ｒｅｆの中心軸線３’上に位置する中心点１−１ａ１からレンズ３ｒｅｆの中心軸線３’と例えば１３°の角度をなして右上側かつ前側に照射された光Ｌａ１ｃが、入射面３ａを透過してレンズ３ｒｅｆの中心軸線３’に平行に進む光になり、次いで、出射面３ｆを透過してレンズ３ｒｅｆの中心軸線３’に平行に進む光になり、ＬＥＤ照明装置１００ｒｅｆの照射方向（図１４（Ａ）の左上側）に照射される。
【００９７】
また、比較例のＬＥＤ照明装置１００ｒｅｆでは、図１４（Ａ）に示すように、ＬＥＤ光源１の発光面１−１（図２参照）の中央部１−１ａ（図２参照）のうち、レンズ３ｒｅｆの中心軸線３’上に位置する中心点１−１ａ１からレンズ３ｒｅｆの中心軸線３’と例えば１３°の角度をなして左下側かつ前側に照射された光Ｌａ１ｄが、入射面３ａを透過してレンズ３ｒｅｆの中心軸線３’に平行に進む光になり、次いで、出射面３ｆを透過してレンズ３ｒｅｆの中心軸線３’に平行に進む光になり、ＬＥＤ照明装置１００ｒｅｆの照射方向（図１４（Ａ）の左上側）に照射される。
【００９８】
更に、比較例のＬＥＤ照明装置１００ｒｅｆでは、図１３（Ｂ）に示すように、ＬＥＤ光源１の発光面１−１（図２参照）の周辺部１−１ｂ（図２参照）の右下隅部１−１ｂ１からレンズ３ｒｅｆの中心軸線３’と例えば７°の角度をなして右下側かつ前側に照射された光Ｌｂ１ａ１が、入射面３ａを透過し、次いで、出射面３ｆを透過し、レンズ３ｒｅｆの中心軸線３’と例えば２°の角度をなして左上側かつ前側に照射される。
【００９９】
また、比較例のＬＥＤ照明装置１００ｒｅｆでは、図１３（Ｂ）に示すように、ＬＥＤ光源１の発光面１−１（図２参照）の周辺部１−１ｂ（図２参照）の右下隅部１−１ｂ１からレンズ３ｒｅｆの中心軸線３’と例えば１５°の角度をなして左上側かつ前側に照射された光Ｌｂ１ｂ１が、入射面３ａを透過し、次いで、出射面３ｆを透過し、レンズ３ｒｅｆの中心軸線３’と例えば２°の角度をなして左上側かつ前側に照射される。
【０１００】
更に、比較例のＬＥＤ照明装置１００ｒｅｆでは、図１３（Ｂ）に示すように、ＬＥＤ光源１の発光面１−１（図２参照）の周辺部１−１ｂ（図２参照）の右下隅部１−１ｂ１からレンズ３ｒｅｆの中心軸線３’と１５°より大きい例えば２４°の角度をなして左上側かつ前側に照射された光Ｌｂ１ｂ１’が、入射面３ａを透過し、次いで、出射面３ｆを透過し、レンズ３ｒｅｆの中心軸線３’と例えば２°の角度をなして左上側かつ前側に照射される。
【０１０１】
その結果、比較例のＬＥＤ照明装置１００ｒｅｆでは、ＬＥＤ光源１（図２参照）の発光面１−１（図２参照）の周辺部１−１ｂ（図２参照）の右下隅部１−１ｂ１（図２（Ａ）参照）が光Ｌｂ１ａ１，Ｌｂ１ｂ１，Ｌｂ１ｂ１’（図１３（Ｂ）参照）などによって投影され、配光パターンＰａ（図１５参照）の左上部分Ｐａ１ｂ１（図１５参照）がスクリーンＳＣ（図１５および図１７（Ｂ）参照）に形成される。
【０１０２】
また、比較例のＬＥＤ照明装置１００ｒｅｆでは、図１３（Ｃ）に示すように、ＬＥＤ光源１の発光面１−１（図２参照）の周辺部１−１ｂ（図２参照）の左上隅部１−１ｂ３からレンズ３ｒｅｆの中心軸線３’と例えば１５°の角度をなして右下側かつ前側に照射された光Ｌｂ３ａ１が、入射面３ａを透過し、次いで、出射面３ｆを透過し、レンズ３ｒｅｆの中心軸線３’と例えば２°の角度をなして右下側かつ前側に照射される。
【０１０３】
更に、比較例のＬＥＤ照明装置１００ｒｅｆでは、図１３（Ｃ）に示すように、ＬＥＤ光源１の発光面１−１（図２参照）の周辺部１−１ｂ（図２参照）の左上隅部１−１ｂ３からレンズ３ｒｅｆの中心軸線３’と１５°より大きい例えば２４°の角度をなして右下側かつ前側に照射された光Ｌｂ３ａ１’が、入射面３ａを透過し、次いで、出射面３ｆを透過し、レンズ３ｒｅｆの中心軸線３’と例えば２°の角度をなして右下側かつ前側に照射される。
【０１０４】
また、比較例のＬＥＤ照明装置１００ｒｅｆでは、図１３（Ｃ）に示すように、ＬＥＤ光源１の発光面１−１（図２参照）の周辺部１−１ｂ（図２参照）の左上隅部１−１ｂ３からレンズ３ｒｅｆの中心軸線３’と例えば７°の角度をなして左上側かつ前側に照射された光Ｌｂ３ｂ１が、入射面３ａを透過し、次いで、出射面３ｆを透過し、レンズ３ｒｅｆの中心軸線３’と例えば２°の角度をなして右下側かつ前側に照射される。
【０１０５】
その結果、比較例のＬＥＤ照明装置１００ｒｅｆでは、ＬＥＤ光源１（図２参照）の発光面１−１（図２参照）の周辺部１−１ｂ（図２参照）の左上隅部１−１ｂ３（図２（Ａ）参照）が光Ｌｂ３ａ１，Ｌｂ３ａ１’，Ｌｂ３ｂ１（図１３（Ｃ）参照）などによって投影され、配光パターンＰａ（図１５参照）の右下部分Ｐａ１ｂ３（図１５参照）がスクリーンＳＣ（図１５および図１７（Ｂ）参照）に形成される。
【０１０６】
また、比較例のＬＥＤ照明装置１００ｒｅｆでは、図１４（Ｂ）に示すように、ＬＥＤ光源１の発光面１−１（図２参照）の周辺部１−１ｂ（図２参照）の左下隅部１−１ｂ４からレンズ３ｒｅｆの中心軸線３’と例えば１５°の角度をなして右上側かつ前側に照射された光Ｌｂ４ｃ１が、入射面３ａを透過し、次いで、出射面３ｆを透過し、レンズ３ｒｅｆの中心軸線３’と例えば２°の角度をなして右上側かつ前側に照射される。
【０１０７】
更に、比較例のＬＥＤ照明装置１００ｒｅｆでは、図１４（Ｂ）に示すように、ＬＥＤ光源１の発光面１−１（図２参照）の周辺部１−１ｂ（図２参照）の左下隅部１−１ｂ４からレンズ３ｒｅｆの中心軸線３’と１５°より大きい例えば２４°の角度をなして右上側かつ前側に照射された光Ｌｂ４ｃ１’が、入射面３ａを透過し、次いで、出射面３ｆを透過し、レンズ３ｒｅｆの中心軸線３’と例えば２°の角度をなして右上側かつ前側に照射される。
【０１０８】
また、比較例のＬＥＤ照明装置１００ｒｅｆでは、図１４（Ｂ）に示すように、ＬＥＤ光源１の発光面１−１（図２参照）の周辺部１−１ｂ（図２参照）の左下隅部１−１ｂ４からレンズ３ｒｅｆの中心軸線３’と例えば７°の角度をなして左下側かつ前側に照射された光Ｌｂ４ｄ１が、入射面３ａを透過し、次いで、出射面３ｆを透過し、レンズ３ｒｅｆの中心軸線３’と例えば２°の角度をなして右上側かつ前側に照射される。
【０１０９】
その結果、比較例のＬＥＤ照明装置１００ｒｅｆでは、ＬＥＤ光源１（図２参照）の発光面１−１（図２参照）の周辺部１−１ｂ（図２参照）の左下隅部１−１ｂ４（図２（Ａ）参照）が光Ｌｂ４ｃ１，Ｌｂ４ｃ１’，Ｌｂ４ｄ１（図１４（Ｂ）参照）などによって投影され、配光パターンＰａ（図１５参照）の右上部分Ｐａ１ｂ４（図１５参照）がスクリーンＳＣ（図１５および図１７（Ｂ）参照）に形成される。
【０１１０】
更に、比較例のＬＥＤ照明装置１００ｒｅｆでは、図１４（Ｃ）に示すように、ＬＥＤ光源１の発光面１−１（図２参照）の周辺部１−１ｂ（図２参照）の右上隅部１−１ｂ２からレンズ３ｒｅｆの中心軸線３’と例えば７°の角度をなして右上側かつ前側に照射された光Ｌｂ２ｃ１が、入射面３ａを透過し、次いで、出射面３ｆを透過し、レンズ３ｒｅｆの中心軸線３’と例えば２°の角度をなして左下側かつ前側に照射される。
【０１１１】
また、比較例のＬＥＤ照明装置１００ｒｅｆでは、図１４（Ｃ）に示すように、ＬＥＤ光源１の発光面１−１（図２参照）の周辺部１−１ｂ（図２参照）の右上隅部１−１ｂ２からレンズ３ｒｅｆの中心軸線３’と例えば１５°の角度をなして左下側かつ前側に照射された光Ｌｂ２ｄ１が、入射面３ａを透過し、次いで、出射面３ｆを透過し、レンズ３ｒｅｆの中心軸線３’と例えば２°の角度をなして左下側かつ前側に照射される。
【０１１２】
更に、比較例のＬＥＤ照明装置１００ｒｅｆでは、図１４（Ｃ）に示すように、ＬＥＤ光源１の発光面１−１（図２参照）の周辺部１−１ｂ（図２参照）の右上隅部１−１ｂ２からレンズ３ｒｅｆの中心軸線３’と１５°より大きい例えば２４°の角度をなして左下側かつ前側に照射された光Ｌｂ２ｄ１’が、入射面３ａを透過し、次いで、出射面３ｆを透過し、レンズ３ｒｅｆの中心軸線３’と例えば２°の角度をなして左下側かつ前側に照射される。
【０１１３】
その結果、比較例のＬＥＤ照明装置１００ｒｅｆでは、ＬＥＤ光源１（図２参照）の発光面１−１（図２参照）の周辺部１−１ｂ（図２参照）の右上隅部１−１ｂ２（図２（Ａ）参照）が光Ｌｂ２ｃ１，Ｌｂ２ｄ１，Ｌｂ２ｄ１’（図１４（Ｃ）参照）などによって投影され、配光パターンＰａ（図１５参照）の左下部分Ｐａ１ｂ２（図１５参照）がスクリーンＳＣ（図１５および図１７（Ｂ）参照）に形成される。
【０１１４】
図１７は比較例のＬＥＤ照明装置１００ｒｅｆと比較した第１の実施形態のＬＥＤ照明装置１００の有利な効果を説明するための図である。上述したように、第１の実施形態のＬＥＤ照明装置１００（図４参照）では、反射面３ｄがレンズ３の中心軸線３’上に形成されているのに対し、比較例のＬＥＤ照明装置１００ｒｅｆ（図１２参照）では、レンズ３ｒｅｆの中心軸線３’上に反射面３ｄ（図４参照）が形成されていない。そのため、比較例のＬＥＤ照明装置１００ｒｅｆ（図１３および図１４参照）では、ＬＥＤ光源１の発光面１−１（図２参照）から照射されて入射面３ａを透過した光の略すべて（例えば光Ｌａ１ａ，Ｌａ１ｂ（図１３（Ａ）参照）、光Ｌｂ１ａ１，Ｌｂ１ｂ１，Ｌｂ１ｂ１’（図１３（Ｂ）参照）、光Ｌｂ３ａ１，，Ｌｂ３ａ１’，Ｌｂ３ｂ１（図１３（Ｃ）参照）、光Ｌａ１ｃ，Ｌａ１ｄ（図１４（Ａ）参照）、光Ｌｂ４ｃ１，Ｌｂ４ｃ１’，Ｌｂ４ｄ１（図１４（Ｂ）参照）、光Ｌｂ２ｃ１，Ｌｂ２ｄ１，Ｌｂ２ｄ１’（図１４（Ｃ）参照）など）が、反射を介することなく、出射面３ｆを透過する。そのため、比較例のＬＥＤ照明装置１００ｒｅｆでは、図１７（Ｂ）に示すように、入射面３ａ（図１２参照）および出射面３ｆを透過した強い光によって、ＬＥＤ光源１の発光面１−１が投影され、ＬＥＤ光源１の四角形の発光面１−１に対応する四角形の配光パターンＰａがスクリーンＳＣに形成される。その結果、比較例のＬＥＤ照明装置１００ｒｅｆでは、図１７（Ｂ）に示すように、仮にＬＥＤ光源１の発光面１−１に輝度や色のムラｕｅが存在する場合に、その輝度や色のムラｕｅがレンズ３ｒｅｆによって投影され、ＬＥＤ光源１の発光面１−１のムラｕｅに対応するムラＰｕｅがスクリーンＳＣ上で目立ってしまう。
【０１１５】
一方、第１の実施形態のＬＥＤ照明装置１００（図４参照）では、上述したように、反射面３ｄがレンズ３の中心軸線３’上に形成されている。詳細には、第１の実施形態のＬＥＤ照明装置１００では、図４に示すように、レンズ３の反射面３ｄの外径（つまり、レンズ３の中心軸線３’と点ｉとの距離の２倍）が、レンズ３の入射面３ｂ１の内径（つまり、レンズ３の中心軸線３’と点ｂとの距離の２倍）以上の値であって、レンズ３の入射面３ｂ１の外径（つまり、レンズ３の中心軸線３’と点ｃとの距離の２倍）以下の値に設定されている。そのため、第１の実施形態のＬＥＤ照明装置１００では、図５（Ａ）および図６（Ａ）に示すように、ＬＥＤ光源１の発光面１−１（図２参照）の中心点１−１ａ１から照射されて入射面３ａを透過した光のすべて（例えば光Ｌａ１ａ，Ｌａ１ｂ（図５（Ａ）参照）、光Ｌａ１ｃ，Ｌａ１ｄ（図６（Ａ）参照）など）が反射面３ｄによって反射される。つまり、第１の実施形態のＬＥＤ照明装置１００では、ＬＥＤ光源１の発光面１−１（図２参照）の中心点１−１ａ１から照射されて入射面３ａを透過し、反射面３ｄを介することなく、出射面３ｆを透過する光が全く存在しない。その結果、第１の実施形態のＬＥＤ照明装置１００では、ＬＥＤ光源１の発光面１−１（図２参照）の中心点１−１ａ１がレンズ３によって全く投影されない。
【０１１６】
詳細には、第１の実施形態のＬＥＤ照明装置１００では、図５（Ｂ）、図５（Ｃ）、図６（Ｂ）および図６（Ｃ）に示すように、ＬＥＤ光源１の発光面１−１（図２参照）の中心点１−１ａ１（図２参照）以外の部分から照射されて入射面３ａを透過した光の大部分（例えば光Ｌｂ１ａ１，Ｌｂ１ｂ１（図５（Ｂ）参照）、光Ｌｂ３ａ１，Ｌｂ３ｂ１（図５（Ｃ）参照）、光Ｌｂ４ｃ１，Ｌｂ４ｄ１（図６（Ｂ）参照）、光Ｌｂ２ｃ１，Ｌｂ２ｄ１（図６（Ｃ）参照）など）も、反射面３ｄによって反射される。つまり、第１の実施形態のＬＥＤ照明装置１００では、図５（Ｂ）、図５（Ｃ）、図６（Ｂ）および図６（Ｃ）に示すように、ＬＥＤ光源１の発光面１−１（図２参照）の中心点１−１ａ１（図２参照）以外の部分から照射されて入射面３ａを透過し、反射面３ｄを介することなく、出射面３ｆを透過する光（例えば光Ｌｂ１ｂ１’（図５（Ｂ）参照）、光Ｌｂ３ａ１’（図５（Ｃ）参照）、光Ｌｂ４ｃ１’（図６（Ｂ）参照）、光Ｌｂ２ｄ１’（図６（Ｃ）参照）など）が、僅かしか存在しない。その結果、第１の実施形態のＬＥＤ照明装置１００では、ＬＥＤ光源１の発光面１−１の中心点１−１ａ１以外の部分が、その僅かな光によって投影され、図８に示すように、配光パターンＰａ（図５参照）よりも照度が低い配光パターンＰ１ｂ１，Ｐ１ｂ２，Ｐ１ｂ３，Ｐ１ｂ４がスクリーンＳＣに形成される。
【０１１７】
そのため、第１の実施形態のＬＥＤ照明装置１００（図１７（Ａ）参照）によれば、ＬＥＤ光源１（図１７（Ｂ）参照）の発光面１−１（図１７（Ｂ）参照）から照射されて入射面３ａ（図１３および図１４参照）を透過した光の略すべて（例えば光Ｌａ１ａ，Ｌａ１ｂ（図１３（Ａ）参照）、光Ｌｂ１ａ１，Ｌｂ１ｂ１，Ｌｂ１ｂ１’（図１３（Ｂ）参照）、光Ｌｂ３ａ１，，Ｌｂ３ａ１’，Ｌｂ３ｂ１（図１３（Ｃ）参照）、光Ｌａ１ｃ，Ｌａ１ｄ（図１４（Ａ）参照）、光Ｌｂ４ｃ１，Ｌｂ４ｃ１’，Ｌｂ４ｄ１（図１４（Ｂ）参照）、光Ｌｂ２ｃ１，Ｌｂ２ｄ１，Ｌｂ２ｄ１’（図１４（Ｃ）参照）など）がレンズ３ｒｅｆ（図１７（Ｂ）参照）によるＬＥＤ光源１（図１７（Ｂ）参照）の発光面１−１（図１７（Ｂ）参照）の投影に利用されるＬＥＤ照明装置１００ｒｅｆ（図１７（Ｂ）参照）よりも、仮にＬＥＤ光源１（図１７（Ａ）参照）の発光面１−１（図１７（Ａ）参照）に輝度や色のムラｕｅ（図１７（Ａ）参照）が存在する場合にその輝度や色のムラｕｅ（図１７（Ａ）参照）がレンズ３（図１７（Ａ）参照）によって投影されてスクリーンＳＣ（図１７（Ａ）参照）上で目立ってしまうおそれを低減することができる。
【０１１８】
更に、比較例のＬＥＤ照明装置１００ｒｅｆ（図１７（Ｂ）参照）では、上述したように、入射面３ａ（図１２参照）および出射面３ｆを透過した強い光によって、ＬＥＤ光源１の発光面１−１の右下隅部１−１ｂ１（図２参照）、右上隅部１−１ｂ２（図２参照）、左上隅部１−１ｂ３（図２参照）および左下隅部１−１ｂ４（図２参照）が投影されるため、比較例のＬＥＤ照明装置１００ｒｅｆによって形成される配光パターンＰｒｅｆ（図１６参照）中の部分Ｐａ１ｂ１，Ｐａ１ｂ２，Ｐａ１ｂ３，Ｐａ１ｂ４（図１６参照）が角状に目立ってしまう。それに対し、第１の実施形態のＬＥＤ照明装置１００（図１７（Ａ）参照）では、入射面３ａ（図４参照）および出射面３ｆを透過した弱い光によって、ＬＥＤ光源１の発光面１−１の右下隅部１−１ｂ１（図２参照）、右上隅部１−１ｂ２（図２参照）、左上隅部１−１ｂ３（図２参照）および左下隅部１−１ｂ４（図２参照）が投影される。そのため、第１の実施形態のＬＥＤ照明装置１００によれば、角状に目立ってしまうという比較例のＬＥＤ照明装置１００ｒｅｆの問題点を解決することができる。
【０１１９】
第１の実施形態のＬＥＤ照明装置１００では、ランバーシアン分布で発光するＬＥＤ光源１を用い、かつ、ＬＥＤ光源１の光軸とレンズ３の中心軸線３’とを一致させることによって、図８〜図１１に示すような配光パターンＰ１ｂ１，Ｐ１ｂ２，Ｐ１ｂ３，Ｐ１ｂ４（図８参照）、配光パターンＰｅ（図９参照）、配光パターンＰｃ（図１０参照）および配光パターンＰ（図１１参照）が形成されているが、第２の実施形態のＬＥＤ照明装置１００では、代わりに、ランバーシアン分布で発光しない任意のＬＥＤ光源１を用いたり、ＬＥＤ光源１の光軸とレンズ３の中心軸線３’とが一致しないようにＬＥＤ光源１およびレンズ３を配置したりすることも可能である。詳細には、第１の実施形態のＬＥＤ照明装置１００のように、ＬＥＤ光源１の光軸とレンズ３の中心軸線３’とを一致させ、かつ、ＬＥＤ光源１の光軸上の光度が最も高いＬＥＤ光源１を用いることにより、配光パターンＰ（図１１参照）の中心軸線３’（図１１参照）上の照度を向上させることができる。
【０１２０】
第１の実施形態のＬＥＤ照明装置１００では、透光性樹脂材料の成形によってレンズ３（図４参照）が形成され、成形用金型の抜き方向とレンズ３の中心軸線３’（図４参照）とが一致せしめられ、適切な抜き勾配が確保されるように直線ｂｃ（図４参照）、曲線ｃｄ（図４参照）、直線ｄｅ（図４参照）、曲線ｅｆ（図４参照）および直線ｉｊ（図４参照）が設定されている。第３の実施形態のＬＥＤ照明装置１００では、代わりに、透光性樹脂材料以外の任意の透光性材料によってレンズ３を形成したり、成形以外の任意の製造方法によってレンズ３を形成したりすることも可能である。
【０１２１】
図１８は第４の実施形態のＬＥＤ照明装置１００の一部を構成するＬＥＤ光源１などを示した図である。詳細には、図１８（Ａ）は図２（Ａ）と同様のＬＥＤ光源１などの拡大正面図、図１８（Ｂ）は図１８（Ａ）のＧ−Ｇ線に沿った水平断面図である。第１の実施形態のＬＥＤ照明装置１００では、図２に示すように、基板２に実装された発光素子１ａの前側（図２（Ｂ）の右上側、図２（Ｃ）の上側）表面によって、ＬＥＤ光源１の四角形の発光面１−１が構成されているのに対し、第４の実施形態のＬＥＤ照明装置１００では、図１８に示すように、基板２に実装された発光素子１ａの周囲に枠状の反射部材１ｂが配置されると共に、反射部材１ｂの凹部内に例えば蛍光体を含有する透光性樹脂１ｃが充填され、その透光性樹脂１ｃの前側（図１８（Ｂ）の上側）表面によって、ＬＥＤ光源１の円形の発光面１−１が構成されている。第５の実施形態のＬＥＤ照明装置１００では、代わりに、ＬＥＤ光源１として、例えば特許文献２（特開２００６−１６５４１０号公報）の図１３に記載されているような砲弾型ＬＥＤ光源を用いることも可能である。
【０１２２】
図１９は第６の実施形態のＬＥＤ照明装置１００のレンズ３の一部の図４と同様の拡大断面図である。第１の実施形態のＬＥＤ照明装置１００では、図４に示すように、ＬＥＤ光源１（図５および図６参照）から照射された光の一部が透過する入射面３ｂ１が、レンズ３の中心軸線３’を中心に直線ｂｃまたは曲線を３６０°回転させることにより得られる曲面によって構成され、入射面３ｂ１を透過した光を反射する反射面３ｃ１が、レンズ３の中心軸線３’を中心に曲線ｃｄまたは直線を３６０°回転させることにより得られる曲面によって構成されているのに対し、第６の実施形態のＬＥＤ照明装置１００では、図１９に示すように、ＬＥＤ光源１（図５および図６参照）から照射された光の一部が透過する入射面３ｂ１が、レンズ３の中心軸線３’を中心に直線ｂｃまたは曲線を３６０°回転させることにより得られる曲面によって構成され、入射面３ｂ１を透過した光を反射する反射面３ｃ１が、レンズ３の中心軸線３’を中心に曲線ｃｂ’または直線を３６０°回転させることにより得られる曲面によって構成され、ＬＥＤ光源１（図５および図６参照）から照射された光の他の一部が透過する入射面３ｂ１’が、レンズ３の中心軸線３’を中心に直線ｂ’ｃ’または曲線を３６０°回転させることにより得られる曲面によって構成され、入射面３ｂ１’を透過した光を反射する反射面３ｃ１’が、レンズ３の中心軸線３’を中心に曲線ｃ’ｄまたは直線を３６０°回転させることにより得られる曲面によって構成されている。つまり、第１の実施形態のＬＥＤ照明装置１００では、図４に示すように、概略サメ歯状の断面形状を有する２組の入射面３ｂ１および反射面３ｃ１の組、入射面３ｂ２および反射面３ｃ２の組が設けられているのに対し、第６の実施形態のＬＥＤ照明装置１００では、図１９に示すように、概略サメ歯状の断面形状を有する３組の入射面３ｂ１および反射面３ｃ１の組、入射面３ｂ１’および反射面３ｃ１’の組、入射面３ｂ２および反射面３ｃ２の組が設けられている。第７の実施形態のＬＥＤ照明装置１００では、代わりに、概略サメ歯状の断面形状を有する入射面および反射面の組数を２および３を除く１以上の任意の数に設定することも可能である。
【０１２３】
図２０（Ａ）は第８の実施形態のＬＥＤ照明装置１００のレンズ３の一部の図５（Ａ）と同様の断面図、図２０（Ｂ）は第８の実施形態のＬＥＤ照明装置１００のレンズ３の一部の図６（Ａ）と同様の断面図である。第１の実施形態のＬＥＤ照明装置１００では、図４に示すように、レンズ３の中心軸線３’と４５°の角度をなす直線ｆｇをレンズ３の中心軸線３’を中心に３６０°回転させることにより得られる曲面によって反射面３ｅが構成されているのに対し、第８の実施形態のＬＥＤ照明装置１００では、図２０に示すように、レンズ３の中心軸線３’と４５°以外の角度をなす直線ｆｇをレンズ３の中心軸線３’を中心に３６０°回転させることにより得られる曲面によって反射面３ｅが構成されている。第８の実施形態のＬＥＤ照明装置１００では、図２０に示すように、反射面３ｅからの反射光Ｌａ１ａ，Ｌａ１ｂ，Ｌａ１ｃ，Ｌａ１ｄがレンズ３の中心軸線３’と角度をなす拡散光になる。
【０１２４】
図２１は第１の実施形態のＬＥＤ照明装置１００が適用された投光器２００を示した図である。詳細には、図２１（Ａ）は投光器２００の正面図、図２１（Ｂ）は図２１（Ａ）のＨ−Ｈ線に沿った水平断面図、図２１（Ｃ）は右上側かつ前側から見た投光器２００の斜視図、図２１（Ｄ）はアウターレンズ２００ｂを透視して右上側かつ前側から見た投光器２００の斜視図である。図２１に示す投光器２００では、第１の実施形態のＬＥＤ照明装置１００と同様に構成された９組のＬＥＤ照明装置１００−１，１００−２，１００−３，１００−４，１００−５，１００−６，１００−７，１００−８，１００−９が用いられている。更に、共通の１つの基板２が９組のＬＥＤ照明装置１００−１，１００−２，１００−３，１００−４，１００−５，１００−６，１００−７，１００−８，１００−９で用いられている。また、９組のＬＥＤ照明装置１００−１，１００−２，１００−３，１００−４，１００−５，１００−６，１００−７，１００−８，１００−９が、ベース部材２００ａとアウターレンズ２００ｂとによって画定される空間内に収容され、ヒートシンク２００ｃが、ベース部材２００ａとケーシング２００ｄとによって画定される空間内に収容されている。他の適用例の投光器２００では、代わりに、冷却効率を向上させるためのファンを追加したり、液冷方式を採用したりすることも可能である。
【０１２５】
第９の実施形態では、上述した第１から第８の実施形態および各適用例を適宜組み合わせることも可能である。
【産業上の利用可能性】
【０１２６】
本発明のＬＥＤ照明装置は、例えば投光器、照らすための車両用灯具などのような照らすための照明装置に適用可能である。
【符号の説明】
【０１２７】
１                      ＬＥＤ光源
１−１                  発光面
１−１ａ                中央部
１−１ａ１              中心点
１−１ｂ                周辺部
３                      レンズ
３’                    中心軸線
３ａ，３ｂ１，３ｂ２    入射面
３ｃ１，３ｃ２          反射面
３ｄ，３ｅ              反射面
３ｆ                    出射面
１００                  ＬＥＤ照明装置
【図１】
2012190677.tif 000003
【図２】
2012190677.tif 000004
【図３】
2012190677.tif 000005
【図４】
2012190677.tif 000006
【図５】
2012190677.tif 000007
【図６】
2012190677.tif 000008
【図７】
2012190677.tif 000009
【図８】
2012190677.tif 000010
【図９】
2012190677.tif 000011
【図１０】
2012190677.tif 000012
【図１１】
2012190677.tif 000013
【図１２】
2012190677.tif 000014
【図１３】
2012190677.tif 000015
【図１４】
2012190677.tif 000016
【図１５】
2012190677.tif 000017
【図１６】
2012190677.tif 000018
【図１７】
2012190677.tif 000019
【図１８】
2012190677.tif 000020
【図１９】
2012190677.tif 000021
【図２０】
2012190677.tif 000022
【図２１】
2012190677.tif 000023